(57)【特許請求の範囲】
【請求項１】
ネットワークエンティティにおける、ユーザ装置ＵＥにＱｏＳフローのサービス品質ＱｏＳ制御パラメータをシグナリングする方法（５００；６００）であって、
前記ＱｏＳフローに関連付けられたひとつ以上のデータフロー規則をＰＣＣルールに基づいて生成すること（Ｓ５１０）であって、前記ひとつ以上のデータフロー規則のそれぞれが前記ＱｏＳフローに関連付けられたデータフローに特有のパラメータを含む、生成することと、
前記ＱｏＳフローについてのＱｏＳフロープロファイルを生成すること（Ｓ５２０）であって、前記ＱｏＳフロープロファイルが同じＱｏＳフローに関連付けられた全てのデータフローについて共通のパラメータを含む、生成することと、
前記ひとつ以上のデータフロー規則と、前記ＱｏＳフロープロファイルと、を前記ＵＥに送信すること（Ｓ５３０）と、を含み、
同じＱｏＳフローに関連付けられる複数のデータフロー規則が複数のＰＣＣルールに基づいて生成される場合に、前記複数のデータフロー規則について共通のパラメータを含む単一のＱｏＳフロープロファイルが前記ＵＥへ送信される、方法（５００；６００）。
【請求項２】
前記ひとつ以上のデータフロー規則のそれぞれは識別子によって表され、該識別子は互いに異なり、該識別子は前記ＵＥに送信される、請求項１に記載の方法（５００；６００）。
【請求項３】
前記ひとつ以上のデータフロー規則のそれぞれは、ひとつ以上のサービスデータフローＳＤＦテンプレートに関連するパラメータおよび／またはひとつ以上の関連する優先値を含む、請求項１または２に記載の方法（５００；６００）。
【請求項４】
前記ひとつ以上のデータフロー規則のそれぞれと、前記ＱｏＳフロープロファイルと、は前記ＱｏＳフローの識別子を含む、請求項１から３のいずれか一項に記載の方法（５００；６００）。
【請求項５】
前記ひとつ以上のデータフロー規則を前記ＵＥに送信する（Ｓ５４０）ことによって、前記ＵＥに、前記ＱｏＳフローの前記ひとつ以上のデータフロー規則を追加するよう知らせること、をさらに含む、請求項１から４のいずれか一項に記載の方法（５００；６００）。
【請求項６】
前記ＱｏＳフロープロファイルにおける少なくともひとつのパラメータが過去のＱｏＳフロープロファイルにおけるそれから変わった場合、前記少なくともひとつのパラメータを前記ＵＥに送信する（Ｓ５５０）ことによって、前記ＵＥが、前記ＱｏＳフローの前記ＱｏＳフロープロファイルにおいて前記少なくともひとつのパラメータを更新することを可能とすること、をさらに含む、請求項１から５のいずれか一項に記載の方法（５００；６００）。
【請求項７】
データフロー規則の識別子を前記ＵＥに送信する（Ｓ６４０）ことによって、前記ＵＥに、前記識別子によって特定される前記データフロー規則を削除するよう知らせること、をさらに含む、請求項１から６のいずれか一項に記載の方法（５００；６００）。
【請求項８】
削除する対象のデータフロー規則が前記ＱｏＳフローの最後のものである場合、前記ＱｏＳフローの識別子を前記ＵＥに送信する（Ｓ６５０）ことによって、前記ＵＥに、前記ＱｏＳフローの前記ＱｏＳフロープロファイルと、前記最後のデータフロー規則と、を削除するよう知らせること、をさらに含む、請求項１から７のいずれか一項に記載の方法（５００；６００）。
【請求項９】
ユーザ装置ＵＥにおける、パラメータを受信するための方法（７００）であって、
サービス品質ＱｏＳフローに関連付けられたひとつ以上のデータフロー規則を受信すること（Ｓ７１０）であって、前記ひとつ以上のデータフロー規則のそれぞれが、ＰＣＣルールに基づいて生成され、そのＱｏＳフローに属するデータフローに特有のパラメータを含む、受信することと、
前記ＱｏＳフローについてのＱｏＳフロープロファイルを受信すること（Ｓ７２０）であって、前記ＱｏＳフロープロファイルが同じＱｏＳフローに属する全てのデータフローについて共通のパラメータを含む、受信することと、を含み、
同じＱｏＳフローに関連付けられる複数のデータフロー規則が複数のＰＣＣルールに基づいて生成される場合に、前記複数のデータフロー規則について共通のパラメータを含む単一のＱｏＳフロープロファイルが前記ＵＥにより受信される、方法（７００）。
【請求項１０】
前記ひとつ以上のデータフロー規則のそれぞれは識別子によって表され、該識別子は互いに異なり、該識別子もまた受信される、請求項９に記載の方法（７００）。
【請求項１１】
前記ひとつ以上のデータフロー規則のそれぞれと、前記ＱｏＳフロープロファイルと、は前記ＱｏＳフローの識別子を含む、請求項９または１０に記載の方法（７００）。
【請求項１２】
データフロー規則の識別子を受信すること（Ｓ７３０）と、
前記データフロー規則を削除すること（Ｓ７４０）と、をさらに含む、請求項９から１１のいずれか一項に記載の方法（７００）。
【請求項１３】
データフロー規則のみを受信すること（Ｓ７５０）、をさらに含む、請求項９から１１のいずれか一項に記載の方法（７００）。
【請求項１４】
ＱｏＳフローの識別子を受信すること（Ｓ７７０）と、
前記データフロー規則と、前記ＱｏＳフローに関連付けられた前記ＱｏＳフロープロファイルと、を削除すること（Ｓ７８０）と、をさらに含む、請求項９から１１のいずれか一項に記載の方法（７００）。
【請求項１５】
少なくともひとつのパラメータを受信すること（Ｓ７９０）と、
前記ＱｏＳフロープロファイルにおける前記少なくともひとつのパラメータを、前記受信されたパラメータで更新すること（Ｓ７１００）と、をさらに含む、請求項９から１４のいずれか一項に記載の方法（７００）。
【請求項１６】
ネットワークにおけるネットワーク機能ＮＦエンティティ（１２００）であって、
少なくともひとつのプロセッサ（１２０３）と、
インストラクションを含むメモリ（１２０５）と、を備え、
前記インストラクションは、前記少なくともひとつのプロセッサ（１２０３）によって実行された場合、前記ＮＦエンティティ（１２００）に：
ＱｏＳフローに関連付けられたひとつ以上のデータフロー規則をＰＣＣルールに基づいて生成することであって、前記ひとつ以上のデータフロー規則のそれぞれが前記ＱｏＳフローに属するデータフローに特有のパラメータを含む、生成することと、
前記ＱｏＳフローについてのＵＥに対するＱｏＳフロープロファイルを生成することであって、前記ＱｏＳフロープロファイルが同じＱｏＳフローに属する全てのデータフローについて共通のパラメータを含む、生成することと、
前記ひとつ以上のデータフロー規則と、前記ＱｏＳフロープロファイルと、を前記ＵＥに送信することと、を行わせ、
同じＱｏＳフローに関連付けられる複数のデータフロー規則が複数のＰＣＣルールに基づいて生成される場合に、前記複数のデータフロー規則について共通のパラメータを含む単一のＱｏＳフロープロファイルが前記ＵＥへ送信される、ＮＦエンティティ。
【請求項１７】
前記インストラクションは、前記少なくともひとつのプロセッサ（１２０３）によって実行された場合、前記ＮＦエンティティ（１２００）に：
前記ひとつ以上のデータフロー規則を前記ＵＥに送信することによって、前記ＵＥに、前記ＱｏＳフローの前記ひとつ以上のデータフロー規則を追加するよう知らせることを行わせる、請求項１６に記載のＮＦエンティティ。
【請求項１８】
前記インストラクションは、前記少なくともひとつのプロセッサ（１２０３）によって実行された場合、前記ＮＦエンティティ（１２００）に：
前記ＱｏＳフロープロファイルにおけるパラメータが過去のＱｏＳフロープロファイルにおけるそれから変わった場合、前記パラメータを前記ＵＥに送信することによって、前記ＵＥが、前記ＱｏＳフローの前記ＱｏＳフロープロファイルにおいて前記パラメータを更新することを可能とすることを行わせる、請求項１６または１７に記載のＮＦエンティティ。
【請求項１９】
前記インストラクションは、前記少なくともひとつのプロセッサ（１２０３）によって実行された場合、前記ＮＦエンティティ（１２００）に：
データフロー規則の識別子を前記ＵＥに送信することによって、前記ＵＥに、前記識別子によって特定される前記データフロー規則を削除するよう知らせることを行わせる、請求項１６から１８のいずれか一項に記載のＮＦエンティティ。
【請求項２０】
前記インストラクションは、前記少なくともひとつのプロセッサ（１２０３）によって実行された場合、前記ＮＦエンティティ（１２００）に：
削除する対象のデータフロー規則が前記ＱｏＳフローの最後のものである場合、前記ＱｏＳフローの識別子を前記ＵＥに送信することによって、前記ＵＥに、前記ＱｏＳフローの前記ＱｏＳフロープロファイルと、前記最後のデータフロー規則と、を削除するよう知らせることを行わせる、請求項１６から１９のいずれか一項に記載のＮＦエンティティ。
【請求項２１】
ユーザ装置ＵＥ（１４００）であって、
少なくともひとつのプロセッサ（１４０３）と、
インストラクションを含むメモリ（１４０５）と、を備え、
前記インストラクションは、前記少なくともひとつのプロセッサ（１４０３）によって実行された場合、前記ＵＥ（１４００）に：
ＱｏＳフローに関連付けられたひとつ以上のデータフロー規則を受信することであって、前記ひとつ以上のデータフロー規則のそれぞれが、ＰＣＣルールに基づいて生成され、そのＱｏＳフローに属するデータフローに特有のパラメータを含む、受信することと、
前記ＱｏＳフローについてのＱｏＳフロープロファイルを受信することであって、前記ＱｏＳフロープロファイルが同じＱｏＳフローに属する全てのデータフローについて共通のパラメータを含む、受信することと、を行わせ、
同じＱｏＳフローに関連付けられる複数のデータフロー規則が複数のＰＣＣルールに基づいて生成される場合に、前記複数のデータフロー規則について共通のパラメータを含む単一のＱｏＳフロープロファイルが前記ＵＥにより受信される、ＵＥ。
【請求項２２】
前記インストラクションは、前記少なくともひとつのプロセッサ（１４０３）によって実行された場合、前記ＵＥ（１４００）にさらに：
データフロー規則の識別子を受信することと、
前記データフロー規則を削除することと、を行わせる、請求項２１に記載のＵＥ。
【請求項２３】
前記インストラクションは、前記少なくともひとつのプロセッサ（１４０３）によって実行された場合、前記ＵＥ（１４００）にさらに：
データフロー規則のみを受信することを行わせる、請求項２１または２２に記載のＵＥ。
【請求項２４】
前記インストラクションは、前記少なくともひとつのプロセッサ（１４０３）によって実行された場合、前記ＵＥ（１４００）にさらに：
ＱｏＳフローの識別子を受信することと、
前記データフロー規則と、前記ＱｏＳフローに関連付けられた前記ＱｏＳフロープロファイルと、を削除することと、を行わせる、請求項２１から２３のいずれか一項に記載のＵＥ。
【請求項２５】
前記インストラクションは、前記少なくともひとつのプロセッサ（１４０３）によって実行された場合、前記ＵＥ（１４００）にさらに：
少なくともひとつのパラメータを受信することと、
前記ＱｏＳフロープロファイルにおける前記少なくともひとつのパラメータを、前記受信されたパラメータで更新することと、を行わせる、請求項２１から２４のいずれか一項に記載のＵＥ。
【請求項２６】
コンピュータプログラムインストラクションを記憶したコンピュータ可読記憶媒体であって、前記コンピュータプログラムインストラクションは、デバイスの少なくともひとつのプロセッサによって実行された場合、前記デバイスに、請求項１から１５のいずれか一項に記載の方法を行わせる、コンピュータ可読記憶媒体。
【発明の詳細な説明】
【技術分野】
【０００１】
本開示は、総じて通信分野に関し、特にサービス品質（ＱｏＳ）フロー制御パラメータをシグナリングする方法、ネットワーク機能（ＮＦ）エンティティ、ユーザ装置（ＵＥ）および対応する可読媒体に関する。
【背景技術】
【０００２】
このセクションは、本開示に記載される技術の様々な実施形態の背景を提供することを意図している。このセクションの説明は追求することができる概念を含むことができるが、必ずしも、以前に着想または追求された概念ではない。したがって、本明細書で別段の指示がない限り、このセクションに記載されているものは、本開示の説明および／または特許請求の範囲に対する先行技術ではなく、このセクションに単に含まれることによって先行技術であると認められるものではない。
【０００３】
第５世代（５Ｇ）ネットワークでは、特有のネットワーク能力およびネットワーク特性を提供する論理ネットワークとしてネットワークスライスが導入される。ネットワークスライスのインスタンス（例えば、ネットワークスライスインスタンス（ＮＳＩ））は、配備されたネットワークスライスを形成する、ネットワーク機能（ＮＦ）インスタンスおよび必要なリソース（例えば、計算、記憶、およびネットワーキングリソース）の集合である。ＮＦは、定義された機能的挙動および３ＧＰＰ定義インタフェースを有する、ネットワークにおいて３ＧＰＰにより採用されたまたは３ＧＰＰにより定義された処理機能である。ＮＦは、専用ハードウェア上のネットワーク要素として、専用ハードウェア上で実行されるソフトウェアインスタンスとして、または適切なプラットフォーム上で、例えばクラウドインフラストラクチャ上でインスタンス化された仮想化された機能として、実装することができる。
【０００４】
３ＧＰＰ  ５ＧＳはまた、サービス品質（ＱｏＳ）フローを定義する。ＱｏＳフローは、５ＧシステムにおけるＱｏＳ転送処理のための最も細かい粒度である。同じ５Ｇ  ＱｏＳフローにマッピングされたすべてのトラフィックは同じ転送処理（例えば、スケジューリングポリシー、キュー管理ポリシー、レートシェーピングポリシー、ＲＬＣ構成など）を受信する。異なるＱｏＳ転送処理を提供することは、別個の５Ｇ  ＱｏＳフローを必要とする。
【発明の概要】
【０００５】
本出願は、５Ｇまたは将来開発されるシステムにおいて、ＱｏＳフロー制御パラメータをどのようにシグナリングするかに関する。
【０００６】
本開示の第１態様によると、ネットワークノードにおける、ユーザ装置ＵＥにサービス品質（ＱｏＳ）フロー制御パラメータをシグナリングする方法が提供される。方法は、ＱｏＳフローに関連付けられたひとつ以上のデータフロー規則を生成することであって、前記ひとつ以上のデータフロー規則のそれぞれが前記ＱｏＳフローに属するデータフローに特有のパラメータを含む、生成することを含む。方法はさらに、前記ＱｏＳフローについての前記ＵＥに対するＱｏＳフロープロファイルを生成することであって、前記ＱｏＳフロープロファイルが同じＱｏＳフローに属する全てのデータフローについて共通のパラメータを含む、生成することを含む。方法はまた、前記ひとつ以上のデータフロー規則と、前記ＱｏＳフロープロファイルと、を前記ＵＥに送信することを含む。
【０００７】
例示的な実施の形態では、前記ひとつ以上のデータフロー規則のそれぞれは識別子によって表され、該識別子は互いに異なり、該識別子は前記ＵＥに送信される。
【０００８】
例示的な実施の形態では、前記ひとつ以上のデータフロー規則のそれぞれは、ひとつ以上のサービスデータフローＳＤＦテンプレートに関連するパラメータおよび／またはひとつ以上の関連する優先値を含む。
【０００９】
例示的な実施の形態では、前記ひとつ以上のデータフロー規則のそれぞれと、前記ＱｏＳフロープロファイルと、は前記ＱｏＳフローの識別子を含む。
【００１０】
例示的な実施の形態では、方法はさらに、前記ひとつ以上のデータフロー規則を前記ＵＥに送信することによって、前記ＵＥに、前記ＱｏＳフローの前記ひとつ以上のデータフロー規則を追加するよう知らせることを含んでもよい。
【００１１】
例示的な実施の形態では、方法はさらに、前記ＱｏＳフロープロファイルにおける前記パラメータが前記過去のＱｏＳフロープロファイルにおけるそれから変わった場合、パラメータを前記ＵＥに送信することによって、前記ＵＥが、前記ＱｏＳフローの前記ＱｏＳフロープロファイルにおいて前記パラメータを更新することを可能とすることを含んでもよい。
【００１２】
例示的な実施の形態では、方法はさらに、データフロー規則の識別子を前記ＵＥに送信することによって、前記ＵＥに、前記識別子によって特定される前記データフロー規則を削除するよう知らせることを含んでもよい。
【００１３】
例示的な実施の形態では、方法はさらに、削除する対象のデータフロー規則が前記ＱｏＳフローの最後のものである場合、前記ＱｏＳフローの識別子を前記ＵＥに送信することによって、前記ＵＥに、前記ＱｏＳフローの前記ＱｏＳフロープロファイルと、前記最後のデータフロー規則と、を削除するよう知らせることを含んでもよい。
【００１４】
本開示の第２態様によると、ユーザ装置（ＵＥ）における、パラメータを受信する方法が提供される。方法は、サービス品質ＱｏＳフローに関連付けられたひとつ以上のデータフロー規則を受信することであって、前記ひとつ以上のデータフロー規則のそれぞれがそのＱｏＳフローに属するデータフローに特有のパラメータを含む、受信することを含む。方法はさらに、前記ＱｏＳフローについてのＱｏＳフロープロファイルを受信することであって、前記ＱｏＳフロープロファイルが同じＱｏＳフローに属する全てのデータフローについて共通のパラメータを含む、受信することを含む。
【００１５】
例示的な実施の形態では、方法はさらに、データフロー規則の識別子を受信することと、前記データフロー規則を削除することと、を含んでもよい。
【００１６】
例示的な実施の形態では、方法はさらに、データフロー規則のみを受信することを含んでもよい。
【００１７】
例示的な実施の形態では、方法はさらに、ＱｏＳフローの識別子を受信することと、前記データフロー規則と、前記ＱｏＳフローに関連付けられた前記ＱｏＳフロープロファイルと、を削除することと、を含んでもよい。
【００１８】
例示的な実施の形態では、方法はさらに、パラメータを受信することと、前記ＱｏＳフロープロファイルにおける前記パラメータを、前記受信されたパラメータで更新することと、を含んでもよい。
【００１９】
本開示の第３態様によると、ネットワークノードにおける、ユーザ装置（ＵＥ）にサービス品質（ＱｏＳ）規則をシグナリングする方法が提供される。方法は、ＱｏＳフローに関連付けられたＱｏＳ規則を生成することであって、前記ＱｏＳ規則は同じＱｏＳフローに属する全てのデータフローに共通のパラメータと、ひとつ以上のパラメータ集合と、を含み、前記ひとつ以上のパラメータ集合のそれぞれは前記ＱｏＳフローに属するデータフローに特有のパラメータを含む、生成することを含む。次いで、この方法は、前記ＱｏＳ規則を前記ＵＥに送信することを含む。
【００２０】
例示的な実施の形態では、前記ひとつ以上のパラメータ集合のそれぞれは識別子によって互いに区別され、該識別子は前記ひとつ以上のパラメータ集合に含まれる。
【００２１】
例示的な実施の形態では、前記ひとつ以上のパラメータ集合のそれぞれは、ひとつ以上のサービスデータフローＳＤＦテンプレートに関連するパラメータおよび／またはひとつ以上の関連する優先値を含む。
【００２２】
例示的な実施の形態では、方法はさらに、前記ＱｏＳ規則が既に送信されてしまっている場合、前記パラメータ集合を前記ＱｏＳ規則の識別子と一緒に前記ＵＥに送信することによって、前記ＵＥが、前記パラメータ集合を含めるように前記ＱｏＳ規則を更新することを可能とすることを含んでもよい。
【００２３】
例示的な実施の形態では、方法はさらに、前記共通パラメータのうちのひとつ以上を前記ＱｏＳ規則の識別子と一緒に前記ＵＥに送信することによって、前記ＵＥが、前記ＱｏＳ規則における対応するパラメータを前記受信されたひとつ以上のパラメータで更新することを可能とすることを含んでもよい。
【００２４】
例示的な実施の形態では、方法はさらに、前記パラメータ集合の識別子を前記ＱｏＳ規則の識別子と一緒に前記ＵＥに送信することによって、前記ＵＥが、前記ＱｏＳ規則から前記パラメータ集合を削除することによって前記ＱｏＳ規則を更新することを可能とすることを含んでもよい。
【００２５】
例示的な実施の形態では、方法はさらに、削除する対象のパラメータ集合が前記ＱｏＳ規則の最後のものである場合、前記ＱｏＳフローの識別子を前記ＵＥに送信することによって、前記ＵＥに、前記ＱｏＳフローの前記ＱｏＳ規則を削除するよう知らせることを含んでもよい。
【００２６】
例示的な実施の形態では、方法はさらに、パラメータと、前記パラメータが属する先のパラメータ集合の識別子と、を前記ＱｏＳ規則の識別子と一緒に前記ＵＥに送信することによって、前記ＵＥが、前記パラメータ集合内の前記パラメータを更新することによって前記ＱｏＳ規則を更新することを可能とすることを含んでもよい。
【００２７】
本開示の第４態様によると、ユーザ装置（ＵＥ）における、サービス品質（ＱｏＳ）規則を受信する方法が提供される。方法は、ＱｏＳフローに関連付けられたＱｏＳ規則を受信することであって、前記ＱｏＳ規則は同じＱｏＳフローに属する全てのデータフローに共通のパラメータと、ひとつ以上のパラメータ集合と、を含み、前記ひとつ以上のパラメータ集合のそれぞれは前記ＱｏＳフローに属するデータフローに特有のパラメータを含む、受信することを含む。
【００２８】
例示的な実施の形態では、方法はさらに、前記ＱｏＳ規則の識別子と一緒に前記パラメータ集合を受信することと、前記パラメータ集合を含めるように前記ＱｏＳ規則を更新することと、を含んでもよい。
【００２９】
例示的な実施の形態では、方法はさらに、前記ＱｏＳ規則の識別子と一緒に前記パラメータ集合の識別子を受信することと、前記ＱｏＳ規則から前記パラメータ集合を削除することによって、前記ＱｏＳ規則を更新することと、を含んでもよい。
【００３０】
例示的な実施の形態では、方法はさらに、前記ＱｏＳ規則の識別子と一緒に前記共通パラメータのうちのひとつ以上を受信することと、前記ＱｏＳ規則における前記対応するパラメータを、前記受信されたもので更新することと、を含んでもよい。
【００３１】
例示的な実施の形態では、方法はさらに、パラメータと、前記パラメータが属する先のパラメータ集合の識別子と、を前記ＱｏＳ規則の識別子と一緒に受信することと、前記パラメータ集合内の前記パラメータを更新することによって前記ＱｏＳ規則を更新することと、を含んでもよい。
【００３２】
本開示の第５態様によると、ＮＦエンティティが提供され、該ＮＦエンティティは、少なくともひとつのプロセッサと、インストラクションを含むメモリと、を備え、前記インストラクションは前記少なくともひとつのプロセッサによって実行された場合、前記ＮＦエンティティに、本開示の第１態様および第３態様による動作を行わせる。
【００３３】
本開示の第６態様によると、ＵＥが提供され、該ＵＥは、少なくともひとつのプロセッサと、インストラクションを含むメモリと、を備え、前記インストラクションは前記少なくともひとつのプロセッサによって実行された場合、前記ＵＥに、本開示の第２態様および第４態様による動作を行わせる。
【００３４】
本開示の第７態様によると、ＮＦエンティティが提供され、該ＮＦエンティティは、ＱｏＳフローに関連付けられたひとつ以上のデータフロー規則を生成することであって、前記ひとつ以上のデータフロー規則のそれぞれが前記ＱｏＳフローに属するデータフローに特有のパラメータを含む、生成することを行うよう構成された生成モジュールを備え、前記生成モジュールはさらに、前記ＱｏＳフローについての前記ＵＥに対するＱｏＳフロープロファイルを生成することであって、前記ＱｏＳフロープロファイルが同じＱｏＳフローに属する全てのデータフローについて共通のパラメータを含む、生成することを行うよう構成され、該ＮＦエンティティは、前記ひとつ以上のデータフロー規則と、前記ＱｏＳフロープロファイルと、を前記ＵＥに送信するよう構成された送信モジュールを備える。
【００３５】
本開示の第８態様によると、ＵＥが提供され、該ＵＥは、サービス品質（ＱｏＳ）フローに関連付けられたひとつ以上のデータフロー規則を受信することであって、前記ひとつ以上のデータフロー規則のそれぞれがそのＱｏＳフローに属するデータフローに特有のパラメータを含む、受信することを行うよう構成された受信モジュールを備え、前記受信モジュールはさらに、前記ＱｏＳフローについてのＱｏＳフロープロファイルを受信することであって、前記ＱｏＳフロープロファイルが同じＱｏＳフローに属する全てのデータフローについて共通のパラメータを含む、受信することを行うよう構成される。
【００３６】
本開示の第９態様によると、ＮＦエンティティが提供され、該ＮＦエンティティは、ＱｏＳフローに関連付けられたＱｏＳ規則を生成することであって、前記ＱｏＳ規則は同じＱｏＳフローに属する全てのデータフローに共通のパラメータと、ひとつ以上のパラメータ集合と、を含み、前記ひとつ以上のパラメータ集合のそれぞれは前記ＱｏＳフローに属するデータフローに特有のパラメータを含む、生成することを行うよう構成された生成モジュールと、前記Ｑｏｓ規則を前記ＵＥに送信するよう構成された送信モジュールと、を備える。
【００３７】
本開示の第１０態様によると、ＵＥが提供され、該ＵＥは、ＱｏＳフローに関連付けられたＱｏＳ規則を受信することであって、前記ＱｏＳ規則は同じＱｏＳフローに属する全てのデータフローに共通のパラメータと、ひとつ以上のパラメータ集合と、を含み、前記ひとつ以上のパラメータ集合のそれぞれは前記ＱｏＳフローに属するデータフローに特有のパラメータを含む、受信することを行うよう構成された受信モジュールを備える。
【００３８】
本開示の別の態様によると、コンピュータ可読媒体はコンピュータプログラムを保持し、該プログラムはインストラクションを含み、該インストラクションは、デバイスの少なくともひとつのプロセッサによって実行された場合、前記デバイスに、前述の第１、第２、第３、および第４態様による方法を実行させる。
【００３９】
本開示の上記の技術的解決策によれば、共通パラメータは１回だけ送信され、それによってシグナリング効率が改善される。
【図面の簡単な説明】
【００４０】
本開示の目的、利点、および特性は図面に関連する好ましい実施形態の説明により、より明らかになるのであろう：
【図１】本開示の実施形態を実装することができる無線通信システムの一例を示す。
【図２】コアＮＦから構成される５Ｇネットワークアーキテクチャとして表される無線通信システムを示す。
【図３】図２の５Ｇネットワークアーキテクチャで使用されるポイントツーポイント基準ポイント／インタフェースの代わりに、制御プレーン内のＮＦ間のサービスベースインタフェースを使用する５Ｇネットワークアーキテクチャを示す。
【図４】ＱｏＳフロー制御パラメータおよび／またはＱｏＳ規則をシグナリングするための方法の詳細を示す例示的なシグナリング図を示す。
【図５】本開示の例示的な実施形態による、ＵＥにパラメータをシグナリングするための方法のフローチャートを例示的に示す。
【図６】本開示の例示的な実施形態による、データフロー規則を削除するための方法のフローチャートを例示的に示す。
【図７】本開示の例示的な実施形態による、パラメータを受信するための方法のフローチャートを例示的に示す。
【図８】本開示の例示的な実施形態による、ＵＥにＱｏＳ規則をシグナリングするための方法のフローチャートを例示的に示す。
【図９】本開示の例示的な実施形態による、パラメータ集合を削除するための方法のフローチャートを例示的に示す。
【図１０】本開示の例示的な実施形態による、ＱｏＳ規則を受信するための方法のフローチャートを例示的に示す。
【図１１】本開示の例示的な実施形態による、ＮＦエンティティの概略構造図を例示的に示す。
【図１２】本開示の例示的な実施形態による、ＮＦエンティティの概略構造図を例示的に示す。
【図１３】本開示の例示的な実施形態による、ＮＦエンティティの概略構造図を例示的に示す。
【図１４】本開示の例示的な実施形態による、ＵＥの概略構造図を例示的に示す。
【図１５】本開示の例示的な実施形態による、ＮＦエンティティの概略構造図を例示的に示す。
【図１６】本開示の例示的な実施形態による、ＮＦエンティティの概略構造図を例示的に示す。
【図１７】本開示の例示的な実施形態による、ＮＦエンティティの概略構造図を例示的に示す。
【図１８】本開示の例示的な実施形態による、ＵＥの概略構造図を例示的に示す。
【図１９】中間ネットワークを介してホストコンピュータに接続された電気通信ネットワークを概略的に示す。
【図２０】基地局を介して部分的に無線の接続を介してユーザ装置と通信するホストコンピュータの一般化されたブロック図である。
【図２１】図２１〜図２４は、ホストコンピュータ、基地局、およびユーザ装置を含む通信システムにおいて実施される方法を示すフローチャートである。
【図２２】図２１〜図２４は、ホストコンピュータ、基地局、およびユーザ装置を含む通信システムにおいて実施される方法を示すフローチャートである。
【図２３】図２１〜図２４は、ホストコンピュータ、基地局、およびユーザ装置を含む通信システムにおいて実施される方法を示すフローチャートである。
【図２４】図２１〜図２４は、ホストコンピュータ、基地局、およびユーザ装置を含む通信システムにおいて実施される方法を示すフローチャートである。
【００４１】
図面全体を通して、同じまたは類似の参照番号は、同じまたは類似の要素を示すために使用され、図面中の様々な部分は一定の縮尺で描かれておらず、例示の目的のためだけであり、したがって、本開示の範囲に対するいかなる限定および制約としても理解されるべきではないことに留意されたい。
【発明を実施するための形態】
【００４２】
以下、本開示の原理および精神を、例示的な実施形態を参照して説明する。ここで、本明細書で企図される実施形態のいくつかを、添付の図面を参照してより完全に説明する。しかしながら、他の実施形態は本明細書に開示された主題の範囲内に含まれ、開示された主題は本明細書に記載された実施形態のみに限定されると解釈されるべきではなく、むしろ、これらの実施形態は主題の範囲を当業者に伝えるために例として提供される。
【００４３】
本明細書における「ある実施の形態」、「実施の形態」、「例示的な実施の形態」などへの言及は、説明される実施の形態が特定のフィーチャ、構成または特性を含みうることを示すが、各実施の形態がそのような特定のフィーチャ、構成や特性を含む必要はない。さらに、そのような文言は同じ実施の形態を指すとは限らない。さらに、実施の形態のとの関連で特定のフィーチャ、構成または特性が説明される場合、明示されているか否かに関わらず、他の実施の形態との関係でそのようなフィーチャ、構成または特性を用いることは、当業者の知識の範囲内であると述べる。
【００４４】
本明細書で使用される用語は特定の実施形態を説明することのみを目的としており、例示的な実施形態を限定することを意図していない。本明細書で使用されるように、単数形「ａ」、「ａｎ」及び「ｔｈｅ」は、文脈がそうでないことを明確に示さない限り、複数形も含むことが意図される。さらに、用語「備える」、「備えている」、「有する」、「有している」、「含む」、および／または「含んでいる」は、本明細書で使用される場合、述べられた特徴、要素、および／または構成要素などの存在を指定するが、１つまたは複数の他の特徴、要素、構成要素、および／またはそれらの組合せの存在または追加を排除しないことが理解されるのであろう。
【００４５】
以下の説明および請求の範囲では、そうでないと定義されない限り、本明細書で用いられる全ての技術用語および科学用語は、本開示が属する技術分野の当業者によって普通に理解されるような意味と同じ意味を有する。
【００４６】
本明細書で説明する技術は、符号分割多重接続（ＣＤＭＡ）、時分割多重接続（ＴＤＭＡ）、周波数分割多重接続（ＦＤＭＡ）、直交周波数分割多重接続（ＯＦＤＭＡ）、シングルキャリア周波数分割多重接続（ＳＣ−ＦＤＭＡ）、ロングタームエボリューション（ＬＴＥ）、および将来開発される他のネットワークなどの様々な無線通信ネットワークに使用され得る。「ネットワーク」および「システム」という用語は、しばしば互換的に使用される。単に例示のために、本技術のいくつかの態様を、以下で、無線通信ネットワークの次世代、すなわち第５世代について説明する。しかし、本明細書で説明される技術は、ＬＴＥなどの他の無線ネットワーク、および本明細書で言及される対応する無線技術、ならびに将来提案される無線ネットワークおよび無線技術にも使用され得ることが、当業者には理解されるのであろう。
【００４７】
本明細書で使用されるように、用語「ＵＥ」は、限定ではなく例として、ユーザ装置（ＵＥ）、ＳＳ（加入者局）、ポータブル加入者局（ＰＳＳ）、移動局（ＭＳ）、移動端末（ＭＴ）、またはアクセス端末（ＡＴ）とすることができる。ＵＥは、モバイル電話、携帯電話、スマートフォン、またはパーソナルデジタルアシスタント（ＰＤＡ）、ポータブルコンピュータ、デジタルカメラなどの画像キャプチャ端末装置、ゲーム端末装置、音楽記憶および再生機器、ウェアラブル端末装置、車載無線端末装置などを含み得るが、これらに限定されない。以下の説明では、「ＵＥ」、「端末装置」、「モバイル端末」、および「ユーザ装置」という用語は互換的に使用することができる。
【００４８】
図１は、本開示の実施形態を実装することができる無線通信システム１００の一例を示す。無線通信システム１００は、例えば、５Ｇニューラジオ（ＮＲ）ネットワークまたはＬＴＥセルラ通信システムのようなセルラ通信システムであってもよい。図示のように、この例では、無線通信システム１００は、複数の無線アクセスノード１２０（たとえば、発展型ノードＢ（ｅＮＢ）、ｇＮＢと呼ばれる５Ｇ基地局、または他の基地局または類似のもの）と、複数の無線通信デバイス１４０（たとえば、従来のＵＥ、マシンタイプ通信（ＭＴＣ）／マシンツーマシン（Ｍ２Ｍ）ＵＥ）と、を含む。無線通信システム１００は、対応する無線アクセスノード１２０を介してコアネットワーク１８０に接続されたセル１６０に編成される。無線アクセスノード１２０は、無線通信デバイス間または無線通信デバイスと別の通信デバイス（陸線電話など）との間の通信をサポートするのに適した任意の追加の要素とともに、無線通信デバイス１４０（本明細書では無線通信デバイス１４０またはＵＥ１４０とも呼ばれる）と通信することができる。コアネットワーク１８０は、１つまたは複数のネットワークノードまたは機能２１０を含む。いくつかの実施形態では、ネットワークノード／機能２１０は、例えば、図２および図３に示すネットワーク機能のいずれかを含むことができる。
【００４９】
図２は、コアＮＦから構成される５Ｇネットワークアーキテクチャとして表される無線通信システム２００を示し、任意の２つのＮＦ間の対話は、ポイントツーポイント基準点／インタフェースによって表される。
【００５０】
アクセス側から見ると、図２に示される５Ｇネットワークアーキテクチャは、無線アクセスネットワーク（ＲＡＮ）またはアクセスネットワーク（ＡＮ）のいずれかに接続された複数のユーザ装置（ＵＥ）、ならびにアクセスおよびモビリティ管理機能（ＡＭＦ）を備える。典型的には、ＲＡＮまたはＡＮは、例えば、発展型ノードＢ（ｅＮＢ）または５Ｇ基地局（ｇＮＢ）などの基地局を備える。コアネットワーク側から見て、図２に示される５ＧコアＮＦは、ネットワークスライス選択機能（ＮＳＳＦ）、認証サーバ機能（ＡＵＳＦ）、統合データ管理（ＵＤＭ）、アクセスおよびモビリティ管理機能（ＡＭＦ）、セッション管理機能（ＳＭＦ）、ポリシー制御機能（ＰＣＦ）、アプリケーション機能（ＡＦ）を含む。
【００５１】
５Ｇネットワークアーキテクチャの基準点表現は、必須の標準における詳細な呼フローを開発するために使用される。Ｎ１基準点は、ＵＥとＡＭＦとの間でシグナリングを搬送するように定義される。ＡＮとＡＭＦとの間、およびＡＮとＵＰＦとの間を接続するための基準点は、それぞれＮ２およびＮ３として定義される。ＡＭＦとＳＭＦとの間には基準点Ｎ１１があり、これは、ＳＭＦがＡＭＦによって少なくとも部分的に制御されることを意味する。Ｎ４はＳＭＦおよびＵＰＦによって使用され、その結果、ＵＰＦはＳＭＦによって生成された制御信号を使用して設定可能であり、ＵＰＦはその状態をＳＭＦに報告することができる。Ｎ９は異なるＵＰＦ間の接続のための基準点であり、Ｎ１４は、それぞれ異なるＡＭＦ間を接続する基準点である。ＰＣＦはポリシーをＡＭＦおよびＳＭＰにそれぞれ適用するので、Ｎ１５およびＮ７が定義される。Ｎ１２はＡＭＦがＵＥの認証を行うために必要である。ＵＥの加入データがＡＭＦ及びＳＭＦに必要であることから、Ｎ８及びＮ１０が定義される。
【００５２】
５Ｇコアネットワークは、ユーザプレーンと制御プレーンとを分離することを目的とする。ユーザプレーンはユーザトラフィックを搬送し、制御プレーンは、ネットワークにおいてシグナリングを搬送する。図２では、ＵＰＦはユーザプレーンにあり、他のすべてのＮＦ、すなわちＡＭＦ、ＳＭＦ、ＰＣＦ、ＡＦ、ＡＵＳＦ、およびＵＤＭは制御プレーンにある。ユーザプレーンと制御プレーンとを分離することにより、各プレーンリソースが独立してスケーリングされることが保証される。また、ＵＰＦは、分散方式で制御プレーン機能とは別個に配備することができる。このアーキテクチャでは、ＵＰＦは、短い待ち時間を必要とするいくつかのアプリケーションのための、ＵＥとデータネットワークとの間の往復時間（ＲＴＴ）を短縮するために、ＵＥの非常に近くに配備され得る。
【００５３】
コア５Ｇネットワークアーキテクチャは、モジュール化された機能から構成される。例えば、ＡＭＦ及びＳＭＦは、制御プレーンにおいて独立した機能である。分離されたＡＭＦおよびＳＭＦは、独立した発展およびスケーリングを可能にする。ＰＣＦやＡＵＳＦのような他の制御プレーン機能は図２に示すように分離することができ、モジュール化された機能設計は、５Ｇコアネットワークが様々なサービスを柔軟にサポートすることを可能にする。
【００５４】
各ＮＦは、別のＮＦと直接相互作用する。１つのＮＦから別のＮＦにメッセージをルーティングするために中間機能を使用することが可能である。制御プレーンでは、２つのＮＦ間の対話の集合を、その再使用が可能となるように、サービスとして定義する。このサービスは、モジュラリティのサポートを可能にする。ユーザプレーンは、異なるＵＰＦ間の転送動作などの対話をサポートする。
【００５５】
図３は、図２の５Ｇネットワークアーキテクチャで使用されるポイントツーポイント基準ポイント／インタフェースの代わりに、制御プレーン内のＮＦ間のサービスベースインタフェースを使用する５Ｇネットワークアーキテクチャを示す。しかしながら、図２を参照して上述されたＮＦは、図３に示されるＮＦに対応する。ＮＦが他の認証されたＮＦに提供するサービス等は、サービスベースインタフェースを通じて認証されたＮＦに曝されうる。図３では、サービスベースインタフェースは文字「Ｎ」にＮＦの名称を続けることにより示されており、例えば、ＡＭＦのサービスベースインタフェースの場合はＮａｍｆ、ＳＭＦのサービスベースインタフェースの場合はＮｓｍｆなどとなる。図３のネットワーク露出機能（ＮＥＦ）およびネットワーク機能リポジトリ機能（ＮＲＦ）は、図２には示されていない。しかしながら、図２に示されているすべてのＮＦは、図２に明示的に示されていないが、必要に応じて図３のＮＥＦおよびＮＲＦと相互作用することができることを、明らかにしておく。
【００５６】
図２および図３に示すＮＦのいくつかの特性は、以下の方法で説明することができる。ＡＭＦは、ＵＥベースの認証、許可、モビリティ管理などを提供する。ＡＭＦはアクセス技術から独立しているので、多重アクセス技術を使用するＵＥでさえも、基本的に単一のＡＭＦに接続される。ＳＭＦはセッション管理を担当し、ＩＰアドレスをＵＥに割り当てる。また、データ転送のためにＵＰＦを選択し、制御する。ＵＥが複数のセッションを有する場合、異なるＳＭＦを各セッションに割り当てて、それらを個別に管理し、場合によってはセッションごとに異なる機能を提供することができる。ＡＦはサービス品質（ＱｏＳ）をサポートするために、ポリシー制御を担当するＰＣＦにパケットフローに関する情報を提供する。この情報に基づいて、ＰＣＦは、ＡＭＦおよびＳＭＦを適切に動作させるために、モビリティおよびセッション管理に関する方針を決定する。ＡＵＳＦはＵＥまたは類似物のための認証機能をサポートし、したがって、ＵＥまたは類似物の認証のためのデータを保持し、一方でＵＤＭがＵＥの加入データを保持する。データネットワーク（ＤＮ）は、５Ｇコアネットワークの一部ではなく、インターネットアクセスまたはオペレータサービスなどを提供する。
【００５７】
ＮＦは、専用ハードウェア上のネットワーク要素として、専用ハードウェア上で実行されるソフトウェアインスタンスとして、または適切なプラットフォーム上で、例えばクラウドインフラストラクチャでインスタンス化された仮想化された機能として、実装することができる。
【００５８】
以下、図４及び図５を参照して、本発明の一実施形態によるＱｏＳフロー制御パラメータをシグナリングする方法を説明する。
【００５９】
本開示では、ＱｏＳ規則はポリシーおよび課金制御（ＰＣＣ）規則に基づいて生成可能であり、ＱｏＳ規則の優先値はＰＣＣ規則の優先値に設定され、ＱｏＳ規則に含まれる５ＱＩおよび平均化ウィンドウなどのパラメータはいくつかの他のパラメータとともに、ＱｏＳフローに結束される。
【００６０】
図４は、ＱｏＳフロー制御パラメータおよび／またはＱｏＳ規則をシグナリングするための方法４００の詳細を示す例示的なシグナリング図を示す。
【００６１】
図４に示すように、方法４００は、ステップＳ４１０〜Ｓ４３０を含むことができる。
【００６２】
ステップＳ４１０において、ＰＣＦ４０３は、ＰＣＣ規則をＳＭＦ４０２に提供することができる。このステップは任意である。ＰＣＣ規則は、デフォルトでＳＭＦ４０２に提供されてもよい。
【００６３】
次いで、ＳＭＦ４０２はステップＳ４２０において、ＱｏＳフロー制御パラメータおよび／またはＱｏＳ規則を導出し、ステップＳ４３０において、ＱｏＳフロー制御パラメータおよび／またはＱｏＳ規則をＵＥ４０１に送信する。
【００６４】
同じＱｏＳフロー識別子（ＱＦＩ）を有する複数のＱｏＳ規則が複数のＰＣＣ規則から生成される場合、および／または同じＱｏＳフローのための複数のＱｏＳ規則が複数のＰＣＣ規則から生成される場合、パラメータのいくつかは異なるＱｏＳ規則で繰り返される。同じＱＦＩに対するＱｏＳ規則の数が増加すると、いくつかのパラメータの繰り返し時間も増加する。繰り返し回数が多ければ多いほど、シグナリング効率は低下する。
【００６５】
以下は、同じＱＦＩ値を有するｘ個のＱｏＳ規則の例である：
ＱｏＳ規則１
ＱｏＳ規則識別子１
ＱＦＩ１
パケットフィルタ１
優先値１
平均化ウインドウ  （ＧＢＲ  の場合）
ＧＦＢＲ  ＵＬ  （ＧＢＲ  の場合）
ＧＦＲＢ  ＤＬ  （ＧＢＲ  の場合）
ＭＦＢＲ  ＵＬ  （ＧＢＲ  の場合）
ＭＦＲＢ  ＤＬ  （ＧＢＲ  の場合）
５ＱＩ  （ＱＦＩと同じでない場合）
ＥＢＩ  （ＥＰＳ  ＩＷＫが必要な場合）
マッピングされたＱｏＳパラメータ  （ＥＰＳ  ＩＷＫが必要な場合）
マッピングされた拡張ＥＰＳ  ＱｏＳパラメータ  （ＥＰＳ  ＩＷＫが必要な場合）
マッピングされたトラフィックフローテンプレート  （ＥＰＳ  ＩＷＫが必要な場合）
ＱｏＳ規則２
ＱｏＳ規則識別子２
ＱＦＩ１
パケットフィルタ２
優先値２
平均化ウインドウ  （繰り返し）
ＧＦＢＲ  ＵＬ  （繰り返し）
ＧＦＲＢ  ＤＬ  （繰り返し）
ＭＦＢＲ  ＵＬ  （繰り返し）
ＭＦＲＢ  ＤＬ  （繰り返し）
５ＱＩ  （ＱＦＩと同じでない場合）  （繰り返し）
ＥＢＩ  （繰り返し）
マッピングされたＱｏＳパラメータ  （繰り返し）
マッピングされた拡張ＥＰＳ  ＱｏＳパラメータ  （繰り返し）
マッピングされたトラフィックフローテンプレート  （繰り返し）
．．．
ＱｏＳ規則ｘ
ＱｏＳ規則識別子ｘ
ＱＦＩ１
パケットフィルタｘ
優先値ｘ
平均化ウインドウ  （繰り返し）
ＧＦＢＲ  ＵＬ  （繰り返し）
ＧＦＲＢ  ＤＬ  （繰り返し）
ＭＦＢＲ  ＵＬ  （繰り返し）
ＭＦＲＢ  ＤＬ  （繰り返し）
５ＱＩ  （ＱＦＩと同じでない場合）  （繰り返し）
ＥＢＩ  （繰り返し）
マッピングされたＱｏＳパラメータ  （繰り返し）
マッピングされた拡張ＥＰＳ  ＱｏＳパラメータ  （繰り返し）
マッピングされたトラフィックフローテンプレート  （繰り返し）
【００６６】
図５は、本開示の例示的な実施形態による、ＵＥにパラメータをシグナリングするための方法５００のフローチャートを例示的に示す。一実施形態では、方法５００は、ＳＭＦなどのネットワーク機能（ＮＦ）エンティティにおいて実行され得る。
【００６７】
図５に示すように、方法５００は、ステップＳ５１０〜Ｓ５３０を含むことができる。
【００６８】
ステップＳ５１０において、ＱｏＳフローに関連するひとつ以上のデータフロー規則を生成することができる。ひとつ以上のデータフロー規則ルールのそれぞれは、ＱｏＳフローに属するデータフローに特有のパラメータを備える。
【００６９】
ステップＳ５２０において、ＱｏＳフローについてのＵＥに対するＱｏＳフロープロファイルが生成されうる。ＱｏＳフロープロファイルは同じＱｏＳフローに属する全てのデータフローについて共通のパラメータを含む。
【００７０】
次に、ステップＳ５３０において、ひとつ以上のデータフロー規則と、ＱｏＳフロープロファイルと、がＵＥに送信される。
【００７１】
同じＱＦＩに対する複数のＱｏＳ規則が複数のＰＣＣ規則から生成される場合、パラメータのいくつかが異なるＱｏＳ規則で繰り返されることが理解される。本願では、ＱｏＳフロープロファイルにはＱｏＳフローに共通するＱｏＳ規則のパラメータが含まれ、データフロー規則にはＱｏＳフローに属するデータフロー（例えば、ＳＤＦ）に特有のＱｏＳ規則のパラメータが含まれる。ＱｏＳフロープロファイルおよびデータフロー規則は、ＱｏＳフローの識別子などの任意のインジケーションによってリンクされ得る。ＱｏＳフロープロファイルおよびデータフロー規則をＵＥに別々に送信することによって、シグナリング効率を改善することができる。例えば、２つ、３つ、またはそれ以上のＰＣＣ規則から生成される同じＱｏＳフローについて２つ、３つ、またはそれ以上のＱｏＳ規則がある場合、ＱｏＳフロープロファイル、および２つ、３つ、またはそれ以上のデータフロー規則を送信することができ、共通の２つ、３つ、またはそれ以上のＱｏＳ規則内のパラメータはＱｏＳフロープロファイルに含まれ、一方、共通のパラメータ以外のＱｏＳ規則内の他のパラメータはそれぞれのデータフロー規則に含まれる。共通パラメータは、一度だけ送信され、それによって、シグナリング効率が改善される。
【００７２】
以下は、上述の同じＱＦＩ値に属する３つのデータフローの場合のＱｏＳフロープロファイルおよび３つのデータフロー規則の例である：
データフロー規則１
データフロー規則識別子１
パケットフィルタ１
優先値１
データフロー規則２
データフロー規則識別子２
パケットフィルタ２
優先値２
データフロー規則３
データフロー規則識別子３
パケットフィルタ３
優先値３
ＱｏＳフロープロファイル
平均化ウインドウ  （ＧＢＲの場合）
ＧＦＢＲ  ＵＬ  （ＧＢＲの場合）
ＧＦＲＢ  ＤＬ  （ＧＢＲの場合）
ＭＦＢＲ  ＵＬ  （ＧＢＲの場合）
ＭＦＲＢ  ＤＬ  （ＧＢＲの場合）
５ＱＩ  （ＱＦＩと同じでない場合）
ＥＢＩ  （ＥＰＳ  ＩＷＫが必要な場合）
マッピングされたＱｏＳパラメータ  （ＥＰＳ  ＩＷＫが必要な場合）
マッピングされた拡張ＥＰＳＱｏＳパラメータ  （ＥＰＳ  ＩＷＫが必要な場合）
マッピングされたトラフィックフローテンプレート  （ＥＰＳ  ＩＷＫが必要な場合）
【００７３】
データフロー規則及びＱｏＳフロープロファイルは、異なる又は同じ情報要素で送信されてもよい。
【００７４】
ある実施の形態では、ひとつ以上のデータフロー規則のそれぞれは識別子によって表され、該識別子は互いに異なり、該識別子はＵＥに送信される。識別子は、上記の例ではデータフロー規則識別子として示されている。
【００７５】
ある実施の形態では、ひとつ以上のデータフロー規則のそれぞれは、ひとつ以上のＳＤＦテンプレートに関連するパラメータおよび／またはひとつ以上の関連する優先値を含む。例えば、上記の例では、各データフロー規則が１つまたは複数のパケットフィルタおよび／または１つまたは複数の優先値を含む。
【００７６】
ある実施の形態では、ひとつ以上のデータフロー規則のそれぞれと、ＵＥに対するＱｏＳフロープロファイルと、はＱｏＳフローの識別子を含む。例えば、ＱｏＳフローの識別子は、ＱｏＳフロー識別子（ＱＦＩ）であってもよい。
【００７７】
図５に示されるように、方法５００はさらに、ひとつ以上のデータフロー規則をＵＥに送信することによって、ＵＥに、ＱｏＳフローのひとつ以上のデータフロー規則を追加するよう知らせるステップＳ５４０を含んでもよい。例えば、新しいＰＣＣ規則が提供され、それが同じＱｏＳフローに結束される場合、新しいＱｏＳ規則が新しいＰＣＣ規則から生成され得る。新しいデータフロー規則は、新しいＱｏＳ規則における（ＰＣＣ規則によって制御される）サービスデータフローに特有のパラメータによって生成される。ＱｏＳフロープロファイル内のパラメータと共通の新しいＱｏＳ規則内のパラメータが変化しない場合、ステップＳ５４０において、新しいデータフロー規則のみが送信される。別の実施形態では、ＱｏＳフロープロファイル内のパラメータと共通の新しいＱｏＳ規則内のパラメータのいずれかが変化する場合、すなわち、任意のパラメータが以前のＱｏＳフロープロファイル内のそれから変化する場合、ステップＳ５５０において、変更されたパラメータもＵＥに送信され、それにより、ＵＥが、ＱｏＳフローの共通パラメータを更新することが可能となる。
【００７８】
図６は、本開示の例示的な実施形態による、データフロー規則を削除するための方法６００のフローチャートを例示的に示す。一実施形態では、方法６００は、ＳＭＦなどのネットワーク機能（ＮＦ）エンティティにおいて実行され得る。
【００７９】
例えば、ＰＣＣ規則が削除されると、（ＰＣＣ規則によって制御される）サービスデータフローに特有のパラメータを含むデータフロー規則が削除される。図６に示すように、方法６００は、除去されるべきデータフロー規則がＱｏＳフローの最後の１つかどうかを決定するステップＳ６１０をさらに含むことができる。最後のものでない場合、ステップＳ６２０において、ＱｏＳフロープロファイルを更新する必要があるかどうかが判定される。ＱｏＳフロープロファイル内のいずれかのパラメータが変更された場合、ステップＳ６３０において、変更されたパラメータとデータフロー規則の識別子とが送信される。ＱｏＳフロープロファイルを更新する必要がない場合、ステップＳ６４０において、データフロー規則の識別子のみが送信される。除去されるべきデータフロー規則がＱｏＳフローの最後の１つ場合、ステップＳ６５０でＱｏＳフローの識別子が送信される。例えば、データフローが除去されるとき、データフロー規則およびＱｏＳフロープロファイルを含む、データフローに関連するパラメータが除去されなければならない。あるいは、Ｓ６５０において、ＱｏＳフローの識別子およびデータフロー規則の識別子が送信され、これにより、ＵＥに、データフロー規則およびＱｏＳフロープロファイルを含む、データフローに関連するすべてのパラメータを除去するように通知する。
【００８０】
図７は、本開示の例示的な実施形態による、パラメータを受信するための方法７００のフローチャートを例示的に示す。一実施形態では、方法７００がＵＥにおいて実行され得る。
【００８１】
図７に示すように、方法７００は、ＱｏＳフローに関連する１つまたは複数のデータフロー規則を受信するステップＳ７１０を含むことができる。ひとつ以上のデータフロー規則のそれぞれは、そのＱｏＳフローに属するデータフローに特有のパラメータを備える。方法７００は、ＱｏＳフローのためのＱｏＳフロープロファイルを受信するステップＳ７２０をさらに含むことができる。ＱｏＳフロープロファイルは同じＱｏＳフローに属する全てのデータフローについて共通のパラメータを含む。
【００８２】
ある実施の形態では、ひとつ以上のデータフロー規則のそれぞれは識別子によって表され、該識別子は互いに異なり、該識別子は受信もされる。上記の例では、識別子はデータフロー規則識別子である。
【００８３】
ある実施の形態では、前記ひとつ以上のデータフロー規則のそれぞれと、前記ＱｏＳフロープロファイルと、は前記ＱｏＳフローの識別子を含む。例えば、ＱｏＳフローの識別子は、ＱｏＳフロー識別子（ＱＦＩ）であってもよい。
【００８４】
ある実施形態では図７に示すように、この方法はデータフロー規則の識別子を受信するステップＳ７３０を含むことができる。データフロー規則の識別子が受信されると、データフロー規則が削除されることが通知される。したがって、この方法は、データフロー規則を削除するステップＳ７４０を含むことができる。
【００８５】
ある実施形態では図７に示すように、この方法はデータフロー規則を受信するステップＳ７５０を含むことができる。独立して受信されるデータフロー規則は、それがＱｏＳフローのための新しいデータフロー規則であることを意味する。ＱｏＳフローを特定する、データフロー規則に含まれる識別子によって、受信エンティティ（例えば、ＵＥ）は、例えば、受信されたデータフロー規則をＱｏＳフローに結束し、それによってＱｏＳフローのＱｏＳフロープロファイルに結束することができる。
【００８６】
ある実施形態では図７に示すように、この方法は削除対象のＱｏＳフローの識別子を受信するステップＳ７７０を含むことができる。除去されるべきＱｏＳフローの識別子が受信されると、ＱｏＳフローに関連するすべてのパラメータが削除されるべきであることが通知される。したがって、方法はさらに、データフロー規則と、ＱｏＳフローに関連付けられたＱｏＳフロープロファイルと、を削除するステップＳ７８０を含む。
【００８７】
ある実施形態では図７に示すように、この方法はパラメータを受信するステップＳ７９０を含むことができる。パラメータが受信されると、ＱｏＳフロープロファイル内のパラメータが更新されるべきであることが通知される。したがって、方法はさらに、ＱｏＳフロープロファイルにおけるパラメータを、受信されたパラメータで更新するステップＳ７１００を含む。
【００８８】
加えて、ステップは任意の適切な順序で行われてもよい。例えば、（例えば、ステップＳ７３０のように）データフロー規則の識別子が受信され、（例えば、ステップＳ７９０のように）パラメータが受信される場合、データフロー規則は削除され、ＱｏＳフロープロファイル内のパラメータは、受信されたパラメータで更新される。別の例として、（例えば、ステップＳ７５０におけるように）追加されるべきデータフロー規則が受信され、（例えば、ステップＳ７９０におけるように）パラメータが受信される場合、データフロー規則はＱｏＳフローにリンクされ、ＱｏＳフロープロファイル内のパラメータは受信されたパラメータで更新される。
【００８９】
「データフロー規則」、「ＱｏＳフロープロファイル」など、本明細書で使用される用語は、単なる例であることを理解されたい。他の適切な名称も適用可能である。例えば、将来開発される規格では、データフロー規則は、従来のＱｏＳ規則を維持するために依然として「ＱｏＳ規則」と命名されてもよく、または「ＱｏＳフロープロファイル」は例として「フロープロファイル」などの別の方法で命名されてもよい。
【００９０】
図８は、本開示の例示的な実施形態による、ＵＥにＱｏＳ規則をシグナリングするための方法８００のフローチャートを例示的に示す。一実施形態では、方法８００は、ＳＭＦなどのネットワーク機能（ＮＦ）エンティティにおいて実行され得る。
【００９１】
図８に示すように、方法８００は、ステップＳ８１０およびＳ８２０を含むことができる。
【００９２】
ステップＳ８１０において、ＱｏＳフローに関連付けられたＱｏＳ規則を生成することができる。ＱｏＳ規則は同じＱｏＳフローに属する全てのＳＤＦに共通のパラメータと、ひとつ以上のパラメータ集合と、を含み、ひとつ以上のパラメータ集合のそれぞれはＱｏＳフローに属するＳＤＦに特有のパラメータを含む。
【００９３】
ステップＳ８２０において、生成されたＱｏＳ規則は、ＵＥに送信可能である。
【００９４】
同じＱＦＩに対する複数のＱｏＳ規則が複数のＰＣＣ規則から生成される場合、パラメータのいくつかが異なるＱｏＳ規則で繰り返されることが理解される。本出願では、新しい（修正された）ＱｏＳ規則が提案される。ＱｏＳ規則にはＱｏＳフローに共通するパラメータがいったん含まれ、一方でパラメータ集合にはＱｏＳフローに属するデータフロー（例えば、ＳＤＦ）に特有のパラメータが含まれる。共通パラメータおよび１つまたは複数のパラメータ集合を備えるＱｏＳ規則をＵＥに送信することによって、シグナリング効率を改善することができる。例えば、２つ、３つ、またはそれ以上のＰＣＣ規則から生成される同じＱｏＳフローについて２つ、３つ、またはそれ以上のレガシーＱｏＳ規則がある場合、（新しい／修正された）ＱｏＳ規則が送信されてもよく、共通のパラメータはＱｏＳ規則に１回含まれ、共通のパラメータ以外のパラメータはそれぞれのパラメータ集合に含まれる。共通パラメータは、一度だけ送信され、それによって、シグナリング効率が改善される。
【００９５】
以下は、複数のデータフローが上述の同じＱＦＩ値を使用する場合の新しいＱｏＳ規則の例である：
ＱｏＳ規則  
ＱｏＳ規則識別子  
ＱＦＩ
パラメータ集合１
パケットフィルタ１
優先値１
パラメータ集合２
パケットフィルタ２
優先値２
．．．
パラメータ集合ｘ
パケットフィルタｘ
優先値ｘ
／／  以下に列挙されるパラメータは、ＱｏＳフローに属するすべてのサービスデータフローに関する共通パラメータである
ＧＦＢＲ  ＵＬ  （ＧＢＲの場合）
ＧＦＲＢ  ＤＬ  （ＧＢＲの場合）
ＭＦＢＲ  ＵＬ  （ＧＢＲの場合）
ＭＦＢＲ  ＤＬ  （ＧＢＲの場合）
平均化ウインドウ  （ＧＢＲの場合）
５ＱＩ  （ＱＦＩと同じでない場合）  
ＥＢＩ  （ＥＰＳ  ＩＷＫが必要な場合）
マッピングされたＱｏＳパラメータ  （ＥＰＳ  ＩＷＫが必要な場合）
マッピングされた拡張ＥＰＳ  ＱｏＳパラメータ  （ＥＰＳ  ＩＷＫが必要な場合）
マッピングされたトラフィックフローテンプレート
【００９６】
ある実施の形態では、前記ひとつ以上のパラメータ集合のそれぞれは識別子によって互いに区別され、該識別子は前記ひとつ以上のパラメータ集合に含まれる。識別子は、上記の例ではパラメータ集合識別子として示されている。
【００９７】
ある実施の形態では、ひとつ以上のパラメータ集合のそれぞれは、ひとつ以上のサービスデータフロー（ＳＤＦ）テンプレートに関連するパラメータおよび／またはひとつ以上の関連する優先値を含む。例えば、上記の例では、各パラメータ集合が１つまたは複数のパケットフィルタおよび／または１つまたは複数の優先値を含む。
【００９８】
図８に示されるように、方法８００はさらに、ＱｏＳ規則が既に送信されてしまっている場合、パラメータ集合をＱｏＳ規則の識別子と一緒にＵＥに送信するステップＳ８３０によって、ＵＥが、パラメータ集合を含めるようにＱｏＳ規則を更新することを可能とすることを含んでもよい。例えば、新しいＰＣＣ規則が提供され、それが同じＱｏＳフローに結束される場合、新しいパラメータ集合が新しいＰＣＣ規則から生成され得る。ＱｏＳフローに共通するパラメータが変化しない場合、ステップＳ８３０において、パラメータ集合のみが送信される。別の実施形態では、ＱｏＳフローについて共通のＱｏＳ規則内のパラメータのいずれかが変化する場合、すなわち、任意のパラメータが以前のＱｏＳ規則内のそれから変化する場合、ステップＳ８４０において、変更されたパラメータもＵＥに送信され、それにより、ＵＥが、ＱｏＳフローの共通パラメータを更新することが可能となる。
【００９９】
図８に示されるように、方法８００はさらに、パラメータと、パラメータが属する先のパラメータ集合の識別子と、をＱｏＳ規則の識別子と一緒にＵＥに送信するステップＳ８４０によって、ＵＥが、パラメータ集合内のパラメータを更新することによってＱｏＳ規則を更新することを可能とすることを含んでもよい。例えば、ＰＣＣ規則が変更される場合、ＰＣＣから生成されたパラメータ集合内の１つまたは複数のパラメータが変更されてもよい。このような場合、変更されたパラメータ及びそのパラメータが属するパラメータ集合の識別子は、ＵＥがパラメータを更新することを可能にするために、ＵＥに送信される。
【０１００】
図９は、本開示の例示的な実施形態による、パラメータ集合を削除するための方法９００のフローチャートを例示的に示す。一実施形態では、方法９００は、ＳＭＦなどのネットワーク機能（ＮＦ）エンティティにおいて実行され得る。
【０１０１】
例えば、ＰＣＣ規則が削除されると、（ＰＣＣ規則によって制御される）サービスデータフローに特有のパラメータを含むパラメータ集合が削除される。図９に示すように、方法９００は、除去されるべきパラメータ集合がＱｏＳフローの最後の１つかどうかを決定するステップＳ９１０をさらに含むことができる。最後のものでない場合、ステップＳ９２０において、共通パラメータを更新する必要があるかどうかが判定される。共通パラメータのいずれかが変更された場合、ステップＳ９３０において、ＱｏＳ規則の識別子、変更されたパラメータ、およびパラメータ集合の識別子が送信される。共通パラメータを更新する必要がない場合、ステップＳ９４０において、パラメータ集合の識別子のみが送信される。削除されるパラメータがＱｏＳフローの最後の１つ場合、ステップＳ９５０で、ＱｏＳフローの識別子、またはＱｏＳ規則の識別子が送信される。例えば、データフローが除去されるとき、共通パラメータおよびパラメータ集合を含む、データフローすなわちＱｏＳ規則に関連するパラメータが除去されなければならない。
【０１０２】
一実施形態では、ステップＳ８３０、Ｓ８４０、Ｓ９３０、Ｓ９４０において、送信されたパラメータ集合／パラメータを、パラメータ集合が属するＱｏＳ規則に関連付けるために、ＱｏＳ規則の識別子またはＱｏＳフローの識別子が送信され、その結果、ＵＥは受信されたパラメータ集合／パラメータをＱｏＳ規則に関連付けることができる。
【０１０３】
図１０は、本開示の例示的な実施形態による、ＱｏＳ規則を受信するための方法１０００のフローチャートを例示的に示す。一実施形態では、方法１０００がＵＥにおいて実行され得る。
【０１０４】
図１０に示されるように、方法１０００は、ＱｏＳフローに関連付けられたＱｏＳ規則を受信するステップＳ１０１０であって、ＱｏＳ規則は同じＱｏＳフローに属する全てのデータフローに共通のパラメータと、ひとつ以上のパラメータ集合と、を含み、ひとつ以上のパラメータ集合のそれぞれはＱｏＳフローに属するデータフローに特有のパラメータを含む、受信するステップを含む。
【０１０５】
ある実施の形態では、前記ひとつ以上のパラメータ集合のそれぞれは識別子によって互いに区別され、該識別子は前記ひとつ以上のパラメータ集合に含まれる。上記の例では、識別子はパラメータ集合識別子である。
【０１０６】
一実施形態では、図１０に示すように、本方法はＱｏＳ規則の識別子と共にパラメータ集合を受信するステップＳ１０２０を含むことができる。独立して受信されるパラメータ集合は、それがＱｏＳフローのための新しいパラメータ集合であることを意味する。ＱｏＳフロー／ＱｏＳ規則を特定するＱｏＳ規則の識別子によって、受信エンティティ（例えば、ＵＥ）は、ステップＳ１０３０において、受信されたパラメータ集合を含むようにＱｏＳ規則を更新することができる。
【０１０７】
一実施形態では、図１０に示すように、本方法はＱｏＳ規則の識別子と共にパラメータ集合の識別子を受信するステップＳ１０４０を含むことができる。パラメータ集合の識別子が受信されると、パラメータ集合が削除されることが通知される。したがって、方法１０００は、ＱｏＳ規則からパラメータ集合を削除することによってＱｏＳ規則を更新するステップＳ１０５０を含むことができる。
【０１０８】
ある実施の形態では、図１０に示されるように、方法は、ＱｏＳ規則の識別子と一緒に共通パラメータのうちのひとつ以上を受信するステップＳ１０６０と、ＱｏＳ規則における対応するパラメータを、受信されたもので更新するステップＳ１０７０と、を含んでもよい。受信エンティティ（例えば、ＵＥ）が１つ以上の共通パラメータを受信すると、共通パラメータを更新するように通知される。したがって、受信エンティティは、ＱｏＳ規則内のそれらを、受信されたもので更新する。
【０１０９】
ある実施の形態では、図１０に示されるように、方法は、パラメータと、パラメータが属する先のパラメータ集合の識別子と、をＱｏＳ規則の識別子と一緒に受信するステップＳ１０８０と、パラメータ集合内のパラメータを更新することによってＱｏＳ規則を更新するステップＳ１０９０と、を含んでもよい。受信エンティティは、パラメータ集合内の１つまたは複数のパラメータを受信すると、パラメータ集合内のパラメータを更新するように通知される。したがって、受信エンティティは、パラメータ集合内のものを、受信されたもので更新する。
【０１１０】
以下、図１１を参照してＮＦエンティティの構造を説明する。図１１は、本開示の例示的な実施形態による、ＮＦエンティティ１１００の概略構造図を例示的に示す。図１１のＮＦエンティティ１１００は、図５〜図６を参照して前述したパラメータをシグナリングするための方法５００および６００を実行することができる。したがって、ＮＦエンティティ１１００に関するいくつかの詳細な説明は、前述したような、パラメータをシグナリングするための方法４００および５００の対応する説明を参照することができる。
【０１１１】
図１１に示すように、ＮＦエンティティ１１００は、生成モジュール１１０１と、送信モジュール１１０２と、を含むことができる。当業者には理解されるように、ＮＦエンティティ１１００内の通常の構成要素は、本開示の概念を曖昧にしないために、図１１では省略されている。また、いくつかのモジュールは、より多くのモジュールに分散されてもよく、またはより少ないモジュールに統合されてもよい。
【０１１２】
ＮＦエンティティ１１００の生成モジュール１１０１は、ＱｏＳフローに関連する１つまたは複数のデータフロー規則と、ＱｏＳフローのためのＵＥに対するＱｏＳフロープロファイルと、を生成するように構成され得る。
【０１１３】
ＮＦエンティティ１１００の送信モジュール１１０２は、１つまたは複数のデータフロー規則およびＱｏＳフロープロファイルを送信するように構成され得る。
【０１１４】
ある実施の形態では、ＮＦエンティティ１１００の送信モジュール１１０２は、１つまたは複数のデータフロー規則のみをＵＥに送信するように構成され得る。例えば、新しいＰＣＣ規則が提供され、それが同じＱｏＳフローに結束される場合、新しいＱｏＳ規則が新しいＰＣＣ規則から生成され得る。新しいデータフロー規則は、新しいＱｏＳ規則における（ＰＣＣ規則によって制御される）サービスデータフローに特有のパラメータによって生成される。ＱｏＳフロープロファイル内のパラメータと共通の新しいＱｏＳ規則内のパラメータが変化しない場合、新しいデータフロー規則のみが送信される。別の実施形態では、ＱｏＳフロープロファイル内のパラメータと共通の新しいＱｏＳ規則内のパラメータのいずれかが変化する場合、すなわち、任意のパラメータが以前のＱｏＳフロープロファイル内のそれから変化する場合、ＮＦエンティティ１１００の送信モジュール１１０２はさらに、変更されたパラメータをＵＥに送信するよう構成されてもよく、それにより、ＵＥが、ＱｏＳフローの共通パラメータを更新することが可能となる。
【０１１５】
一実施形態では、ＮＦエンティティ１１００は決定モジュール１１０３をさらに含むことができる。ＮＦエンティティ１１００の決定モジュール１１０３は、除去されるべきデータフロー規則がＱｏＳフローの最後の１つかどうかを決定するように構成されてもよい。最後のものではないと判定された場合、ＮＦエンティティ１１００の決定モジュール１１０３は、ＱｏＳフロープロファイルを更新する必要があるかどうかを判定するように構成され得る。ＮＦエンティティ１１００の送信モジュール１１０２は、ＱｏＳフロープロファイルのいずれかのパラメータが変更されたと判定された場合、変更されたパラメータ及びデータフロー規則の識別子を送信する。ＱｏＳフロープロファイルを更新する必要がないと判定された場合、ＮＦエンティティ１１００の送信モジュール１１０２は、データフロー規則の識別子のみを送信する。除去されるべきデータフロー規則がＱｏＳフローの最後の１つであると判定された場合、ＮＦエンティティ１１００の送信モジュール１１０２は、ＱｏＳフローの識別子を送信する。例えば、データフローが除去されるとき、データフロー規則およびＱｏＳフロープロファイルを含む、データフローに関連するパラメータが除去されなければならない。あるいは、ＮＦエンティティ１１００の送信モジュール１１０２は、ＱｏＳフローの識別子およびデータフロー規則の識別子を送信し、それにより、ＵＥに、データフロー規則およびＱｏＳフロープロファイルを含む、データフローに関連するすべてのパラメータを除去するように通知する。
【０１１６】
以下、図１２を参照して、ＮＦエンティティ１２００の別の構造を説明する。図１２は、本開示の例示的な実施形態による、ＮＦエンティティ１２００の概略構造図を例示的に示す。図１２のＮＦエンティティ１２００は、図５〜図６を参照して前述したパラメータをシグナリングするための方法５００および６００を実行することができる。したがって、ＮＦエンティティ１２００に関するいくつかの詳細な説明は、前述したような、パラメータをシグナリングするための方法５００および６００の対応する説明を参照することができる。
【０１１７】
図１２に示すように、ＮＦエンティティ１２００はコンピュータプログラムインストラクションを実行可能な、例えば、任意の適切な中央処理装置、ＣＰＵ、マイクロコントローラ、デジタル信号プロセッサ、ＤＳＰなどを含む、少なくとも１つのコントローラまたはプロセッサ１２０３を含むことができる。コンピュータプログラムインストラクションは、メモリ１２０５に格納することができる。メモリ１２０５は、ＲＡＭ（Ｒａｎｄｏｍ  Ａｃｃｅｓｓ  Ｍｅｍｏｒｙ）とＲＯＭ（Ｒｅａｄ  Ｏｎｌｙ  Ｍｅｍｏｒｙ）との任意の組み合わせであってよい。メモリはまた、例えば、磁気メモリ、光メモリ、またはソリッドステートメモリ、または遠隔に取り付けられたメモリのいずれか１つ、またはそれらの組合せとすることができる永続的ストレージを備えることもできる。例示的なＮＦエンティティ１２００は、通信用に構成された通信インタフェース１２０１をさらに備える。
【０１１８】
インストラクションはメモリ１２０５からロードされ、少なくとも１つのプロセッサ１２０３によって実行されると、ＮＦエンティティ１２００に、前述の方法５００および６００を実行させることができる。
【０１１９】
特に、インストラクションは、メモリ１２０５からロードされて少なくともひとつのプロセッサ１２０３によって実行された場合、ＮＦエンティティ１２００に、ＱｏＳフローに関連付けられたひとつ以上のデータフロー規則を生成することであって、ひとつ以上のデータフロー規則のそれぞれがそのＱｏＳフローに属するデータフローに特有のパラメータを含む、生成することと、ＱｏＳフローについてのＵＥに対するＱｏＳフロープロファイルを生成することであって、ＱｏＳフロープロファイルが同じＱｏＳフローに属する全てのデータフローについて共通のパラメータを含む、生成することと、を行わせてもよい。インストラクションはメモリ１２０５からロードされ、少なくとも１つのプロセッサ１２０３によって実行されると、ＮＦエンティティ１２００に、ひとつ以上のデータフロー規則と、ＱｏＳフロープロファイルと、をＵＥに送信させてもよい。
【０１２０】
ある実施の形態では、ひとつ以上のデータフロー規則のそれぞれは識別子によって表され、該識別子は互いに異なり、該識別子はＵＥに送信される。識別子は、上記の例ではデータフロー規則識別子として示されている。
【０１２１】
ある実施の形態では、ひとつ以上のデータフロー規則のそれぞれは、ひとつ以上のＳＤＦテンプレートに関連するパラメータおよび／またはひとつ以上の関連する優先値を含む。例えば、上記の例では、各データフロー規則が１つまたは複数のパケットフィルタおよび／または１つまたは複数の優先値を含む。
【０１２２】
ある実施の形態では、ひとつ以上のデータフロー規則のそれぞれと、ＵＥに対するＱｏＳフロープロファイルと、はＱｏＳフローの識別子を含む。例えば、ＱｏＳフローの識別子は、ＱｏＳフロー識別子（ＱＦＩ）であってもよい。
【０１２３】
インストラクションはメモリ１２０５からロードされ、少なくとも１つのプロセッサ１２０３によって実行されると、ＮＦエンティティ１２００に、ひとつ以上のデータフロー規則をＵＥに送信させてもよい。例えば、新しいＰＣＣ規則が提供され、それが同じＱｏＳフローに結束される場合、新しいＱｏＳ規則が新しいＰＣＣ規則から生成され得る。新しいデータフロー規則は、新しいＱｏＳ規則における（ＰＣＣ規則によって制御される）サービスデータフローに特有のパラメータによって生成される。ＱｏＳフロープロファイル内のパラメータと共通の新しいＱｏＳ規則内のパラメータが変化しない場合、新しいデータフロー規則のみが送信される。別の実施形態では、ＱｏＳフロープロファイル内のパラメータと共通の新しいＱｏＳ規則内のパラメータのいずれかが変化する場合、すなわち、任意のパラメータが以前のＱｏＳフロープロファイル内のそれから変化する場合、インストラクションは、メモリ１２０５からロードされ少なくともひとつのプロセッサ１２０３によって実行される場合、ＮＦエンティティ１２００に、変更されたパラメータをもＵＥに送信させてもよく、それにより、ＵＥが、ＱｏＳフローの共通パラメータを更新することが可能となる。
【０１２４】
ＰＣＣ規則が削除されると、（ＰＣＣ規則によって制御される）サービスデータフローに特有のパラメータを含むデータフロー規則が削除される。インストラクションはメモリ１２０５からロードされ、少なくとも１つのプロセッサ１２０３によって実行されると、ＮＦエンティティ１２００に、除去されるべきデータフロー規則がＱｏＳフローの最後の１つかどうかを決定させてもよい。それが最後の１つでない場合、インストラクションはメモリ１２０５からロードされ、少なくとも１つのプロセッサ１２０３によって実行されると、ＮＦエンティティ１２００に、ＱｏＳフロープロファイルを更新する必要があるかどうかを判定させてもよい。ＱｏＳフロープロファイル内のパラメータのいずれかが変わる場合、インストラクションはメモリ１２０５からロードされ、少なくとも１つのプロセッサ１２０３によって実行されると、ＮＦエンティティ１２００に、変更されたパラメータと、データフロー規則の識別子と、を送信させてもよい。ＱｏＳフロープロファイルを更新する必要がない場合、インストラクションはメモリ１２０５からロードされ、少なくとも１つのプロセッサ１２０３によって実行されると、ＮＦエンティティ１２００に、データフロー規則の識別子のみを送信させてもよい。除去されるべきデータフロー規則がＱｏＳフローのうちの最後の１つである場合、インストラクションはメモリ１２０５からロードされ、少なくとも１つのプロセッサ１２０３によって実行されると、ＮＦエンティティ１２００に、ＱｏＳフローの識別子を送信させてもよい。例えば、データフローが除去されるとき、データフロー規則およびＱｏＳフロープロファイルを含む、データフローに関連するパラメータが除去されなければならない。あるいは、インストラクションはメモリ１２０５からロードされ、少なくともひとつのプロセッサ１２０３によって実行されると、ＮＦエンティティ１２００に、ＱｏＳフローの識別子およびデータフロー規則の識別子を送信させ、それにより、ＵＥに、データフロー規則およびＱｏＳフロープロファイルを含む、データフローに関連するすべてのパラメータを除去するように通知してもよい。
【０１２５】
以下、図１３を参照してＵＥの構造を説明する。図１３は、本開示の例示的な実施形態による、ＵＥ１３００の概略構造図を例示的に示す。図１３のＵＥ１３００は、図７を参照して前述したパラメータを受信するための方法７００を実行することができる。したがって、ＵＥ１３００に関するいくつかの詳細な説明は、前述したような、方法７００の対応する説明を参照することができる。
【０１２６】
図１３に示すように、ＵＥ１３００は、受信モジュール１３０１を含むことができる。当業者には理解されるように、ＵＥ１３００内の通常の構成要素は、本開示の概念を曖昧にしないために、図１３では省略されている。また、いくつかのモジュールは、より多くのモジュールに分散されてもよく、またはより少ないモジュールに統合されてもよい。
【０１２７】
ＵＥ１３００の受信モジュール１３０１は、ＱｏＳフローに関連付けられた１つまたは複数のデータフロー規則を受信するように構成され得る。ひとつ以上のデータフロー規則のそれぞれは、そのＱｏＳフローに属するデータフローに特有のパラメータを備える。ＵＥ１３００の受信モジュール１３０１は、ＱｏＳフローのためのＱｏＳフロープロファイルを受信するようにさらに構成され得る。ＱｏＳフロープロファイルは同じＱｏＳフローに属する全てのデータフローについて共通のパラメータを含む。
【０１２８】
ある実施の形態では、ひとつ以上のデータフロー規則のそれぞれは識別子によって表され、該識別子は互いに異なり、該識別子は受信もされる。上記の例では、識別子はデータフロー規則識別子である。
【０１２９】
ある実施の形態では、前記ひとつ以上のデータフロー規則のそれぞれと、前記ＱｏＳフロープロファイルと、は前記ＱｏＳフローの識別子を含む。例えば、ＱｏＳフローの識別子は、ＱｏＳフロー識別子（ＱＦＩ）であってもよい。
【０１３０】
一実施形態では、ＵＥ１３００の受信モジュール１３０１は、データフロー規則の識別子を受信するようにさらに構成され得る。
【０１３１】
一実施形態では、ＵＥ１３００は削除モジュール１３０２をさらに含むことができる。受信モジュール１３０１は、データフロー規則の識別子を受信すると、データフロー規則を削除する旨が通知される。ＵＥ１３００の削除モジュール１３０２は、データフロー規則を削除するように構成され得る。
【０１３２】
一実施形態では、ＵＥ１３００の受信モジュール１３０１は、データフロー規則を受信するようにさらに構成され得る。独立して受信されるデータフロー規則は、それがＱｏＳフローのための新しいデータフロー規則であることを意味する。ＱｏＳフローを特定する、データフロー規則に含まれる識別子によって、ＵＥ１３００は、例えば、受信されたデータフロー規則をＱｏＳフローに結束し、それによってＱｏＳフローのＱｏＳフロープロファイルに結束することができる。
【０１３３】
一実施形態では、ＵＥ１３００の受信モジュール１３０１は、除去されるべきＱｏＳフローの識別子を受信するようにさらに構成され得る。除去されるべきＱｏＳフローの識別子が受信されると、ＱｏＳフローに関連するすべてのパラメータが削除されるべきであることが通知される。したがって、ＵＥ１３００の削除モジュール１３０２は、データフロー規則およびＱｏＳフローに関連するＱｏＳフロープロファイルを削除するように構成され得る。
【０１３４】
一実施形態では、ＵＥ１３００の受信モジュール１３０１は、パラメータを受信するようにさらに構成され得る。パラメータが受信されると、ＱｏＳフロープロファイル内のパラメータが更新されるべきであることが通知される。
【０１３５】
一実施形態では、ＵＥ１３００は更新モジュール１３０３を含むことができる。受信モジュール１３０１がパラメータを受信すると、ＵＥ１３００の更新モジュール１３０３は、ＱｏＳフロープロファイル内のパラメータを受信されたパラメータで更新するように構成され得る。
【０１３６】
以下、図１４を参照して、ＮＦエンティティの別の構造を説明する。図１４は、本開示の例示的な実施形態による、ＵＥ１４００の概略構造図を例示的に示す。図１４のＵＥ１４００は、図５を参照して前述したパラメータを受信するための方法７００を実行することができる。したがって、ＵＥ１４００に関するいくつかの詳細な説明は、前述したような、方法５００の対応する説明を参照することができる。
【０１３７】
図１４に示すように、ＵＥ１４００はコンピュータプログラムインストラクションを実行可能な、例えば、任意の適切な中央処理装置、ＣＰＵ、マイクロコントローラ、デジタル信号プロセッサ、ＤＳＰなどを含む、少なくとも１つのコントローラまたはプロセッサ１４０３を含むことができる。コンピュータプログラムインストラクションは、メモリ１４０５に格納することができる。メモリ１４０５は、ＲＡＭ（Ｒａｎｄｏｍ  Ａｃｃｅｓｓ  Ｍｅｍｏｒｙ）とＲＯＭ（Ｒｅａｄ  Ｏｎｌｙ  Ｍｅｍｏｒｙ）との任意の組み合わせであってよい。メモリはまた、例えば、磁気メモリ、光メモリ、またはソリッドステートメモリ、または遠隔に取り付けられたメモリのいずれか１つ、またはそれらの組合せとすることができる永続的ストレージを備えることもできる。例示的なＵＥ１４００は、通信用に構成された通信インタフェース１４０１をさらに備える。
【０１３８】
インストラクションはメモリ１４０５からロードされ、少なくとも１つのプロセッサ１４０３によって実行されると、ＵＥ１４００に、前述の方法７００を実行させることができる。
【０１３９】
特に、インストラクションはメモリ１４０５からロードされ、少なくとも１つのプロセッサ１４０３によって実行されると、ＵＥ１４００に、ＱｏＳフローに関連付けられたひとつ以上のデータフロー規則と、ＱｏＳフローのＱｏＳフロープロファイルと、を受信させてもよい。ひとつ以上のデータフロー規則のそれぞれは、そのＱｏＳフローに属するデータフローに特有のパラメータを備える。ＱｏＳフロープロファイルは同じＱｏＳフローに属する全てのデータフローについて共通のパラメータを含む。
【０１４０】
ある実施の形態では、ひとつ以上のデータフロー規則のそれぞれは識別子によって表され、該識別子は互いに異なり、該識別子は受信もされる。上記の例では、識別子はデータフロー規則識別子である。
【０１４１】
ある実施の形態では、前記ひとつ以上のデータフロー規則のそれぞれと、前記ＱｏＳフロープロファイルと、は前記ＱｏＳフローの識別子を含む。例えば、ＱｏＳフローの識別子は、ＱｏＳフロー識別子（ＱＦＩ）であってもよい。
【０１４２】
本開示のある実施の形態では、インストラクションはメモリ１４０５からロードされ、少なくとも１つのプロセッサ１４０３によって実行されると、ＵＥ１４００に、データフロー規則の識別子を受信させてもよい。データフロー規則の識別子が受信されると、データフロー規則が削除されることが通知される。インストラクションはメモリ１４０５からロードされ、少なくとも１つのプロセッサ１４０３によって実行されると、ＵＥ１４００に、データフロー規則を削除させてもよい。
【０１４３】
本開示のある実施の形態では、インストラクションはメモリ１４０５からロードされ、少なくとも１つのプロセッサ１４０３によって実行されると、ＵＥ１４００に、データフロー規則を受信させてもよい。独立して受信されるデータフロー規則は、それがＱｏＳフローのための新しいデータフロー規則であることを意味する。ＱｏＳフローを特定する、データフロー規則に含まれる識別子によって、ＮＦエンティティは、例えば、受信されたデータフロー規則をＱｏＳフローに結束し、それによってＱｏＳフローのＱｏＳフロープロファイルに結束することができる。
【０１４４】
本開示のある実施の形態では、インストラクションはメモリ１４０５からロードされ、少なくとも１つのプロセッサ１４０３によって実行されると、ＵＥ１４００に、除去されるべきＱｏＳフローの識別子を受信させてもよい。除去されるべきＱｏＳフローの識別子が受信されると、ＱｏＳフローに関連するすべてのパラメータが削除されるべきであることが通知される。インストラクションはメモリ１４０５からロードされ、少なくとも１つのプロセッサ１４０３によって実行されると、ＵＥ１４００に、データフロー規則と、ＱｏＳフローに関連付けられたＱｏＳフロープロファイルと、を削除させてもよい。
【０１４５】
本開示のある実施の形態では、インストラクションはメモリ１４０５からロードされ、少なくとも１つのプロセッサ１４０３によって実行されると、ＵＥ１４００に、パラメータを受信させてもよい。パラメータが受信されると、ＱｏＳフロープロファイル内のパラメータが更新されるべきであることが通知される。インストラクションはメモリ１４０５からロードされ、少なくとも１つのプロセッサ１４０３によって実行されると、ＵＥ１４００に、ＱｏＳフロープロファイル内のパラメータを受信されたパラメータで更新させてもよい。
【０１４６】
以下、図１５を参照してＮＦエンティティの構造を説明する。図１５は、本開示の例示的な実施形態による、ＮＦエンティティ１５００の概略構造図を例示的に示す。図１５のＮＦエンティティ１５００は、図８〜図９を参照して前述した、ＱｏＳ規則をＵＥにシグナリングするための方法８００および９００を実行することができる。したがって、ＮＦエンティティ１５００に関するいくつかの詳細な説明は、前述したような、ＱｏＳ規則をＵＥにシグナリングするための方法８００および９００の対応する説明を参照することができる。
【０１４７】
図１５に示すように、ＮＦエンティティ１５００は、生成モジュール１５０１と、送信モジュール１５０２と、を含むことができる。当業者には理解されるように、ＮＦエンティティ１５００内の通常の構成要素は、本開示の概念を曖昧にしないために、図１５では省略されている。また、いくつかのモジュールは、より多くのモジュールに分散されてもよく、またはより少ないモジュールに統合されてもよい。
【０１４８】
ＮＦエンティティ１５００の生成モジュール１５０１は、ＱｏＳフローに関連付けられたＱｏＳ規則を生成するように構成され得る。ＱｏＳ規則は同じＱｏＳフローに属する全てのＳＤＦに共通のパラメータと、ひとつ以上のパラメータ集合と、を含み、ひとつ以上のパラメータ集合のそれぞれはＱｏＳフローに属するＳＤＦに特有のパラメータを含む。
【０１４９】
ＮＦエンティティ１５００の送信モジュール１５０２は、生成されたＱｏＳ規則を送信するように構成され得る。
【０１５０】
ある実施の形態では、ＮＦエンティティ１５００の送信モジュール１５０２はさらに、ＱｏＳ規則が既に送信されてしまっている場合、パラメータ集合をＱｏＳ規則の識別子と一緒にＵＥに送信するよう構成され、それによって、ＵＥが、パラメータ集合を含めるようにＱｏＳ規則を更新することを可能とする。例えば、新しいＰＣＣ規則が提供され、それが同じＱｏＳフローに結束される場合、新しいパラメータ集合が新しいＰＣＣ規則から生成され得る。ＱｏＳフローに共通するパラメータが変化しない場合、ＮＦエンティティ１５００の送信モジュール１５０２は、パラメータ集合のみを送信する。別の実施形態では、ＱｏＳフローに共通のＱｏＳ規則内のパラメータのいずれかが変化する場合、すなわち、任意のパラメータが以前のＱｏＳ規則内のそれから変化する場合、ＮＦエンティティ１５００の送信モジュール１５０２はまた、変更されたパラメータを送信するよう構成されてもよく、それにより、ＵＥが、ＱｏＳフローの共通パラメータを更新することが可能となる。
【０１５１】
ある実施の形態では、ＮＦエンティティ１５００の送信モジュール１５０２はさらに、パラメータと、パラメータが属する先のパラメータ集合の識別子と、をＱｏＳ規則の識別子と一緒にＵＥに送信するよう構成され、それによって、ＵＥが、パラメータ集合内のパラメータを更新することによってＱｏＳ規則を更新することを可能とする。例えば、ＰＣＣ規則が変更される場合、ＰＣＣから生成されたパラメータ集合内の１つまたは複数のパラメータが変更されてもよい。このような場合、変更されたパラメータ及びそのパラメータが属するパラメータ集合の識別子は、ＵＥがパラメータを更新することを可能にするために、ＵＥに送信される。
【０１５２】
一実施形態では、ＮＦエンティティ１５００は決定モジュール１５０３をさらに含むことができる。ＮＦエンティティ１５００の決定モジュール１５０３は、除去されるべきパラメータ集合がＱｏＳフローの最後の１つかどうかを決定するように構成されてもよい。最後のものではない場合、ＮＦエンティティ１５００の決定モジュール１５０３は、共通パラメータを更新する必要があるかどうかを判定するように構成され得る。共通パラメータのいずれかが変化する場合、ＮＦエンティティ１５００の送信モジュール１５０２は、変更されたパラメータおよびパラメータ集合の識別子を送信するようにさらに構成され得る。共通パラメータを更新する必要がない場合、ＮＦエンティティ１５００の送信モジュール１５０２は、パラメータ集合の識別子のみを送信するようにさらに構成され得る。除去されるべきパラメータがＱｏＳフローの最後の１つである場合、ＮＦエンティティ１５００の送信モジュール１５０２は、ＱｏＳフローの識別子またはＱｏＳ規則の識別子を送信するようにさらに構成されてもよい。例えば、データフローが除去されるとき、共通パラメータおよびパラメータ集合を含む、データフローすなわちＱｏＳ規則に関連するパラメータが除去されなければならない。
【０１５３】
以下、図１６を参照して、ＮＦエンティティ１６００の別の構造を説明する。図１６は、本開示の例示的な実施形態による、ＮＦエンティティ１６００の概略構造図を例示的に示す。図１６のＮＦエンティティ１６００は、図８および図９を参照して前述した、ＱｏＳ規則をＵＥにシグナリングするための方法８００および９００を実行することができる。したがって、ＮＦエンティティ１６００に関するいくつかの詳細な説明は、前述したような、ＱｏＳ規則をＵＥにシグナリングするための方法８００および９００の対応する説明を参照することができる。
【０１５４】
図１６に示すように、ＮＦエンティティ１６００はコンピュータプログラムインストラクションを実行可能な、例えば、任意の適切な中央処理装置、ＣＰＵ、マイクロコントローラ、デジタル信号プロセッサ、ＤＳＰなどを含む、少なくとも１つのコントローラまたはプロセッサ１６０３を含むことができる。コンピュータプログラムインストラクションは、メモリ１６０５に格納することができる。メモリ１６０５は、ＲＡＭ（Ｒａｎｄｏｍ  Ａｃｃｅｓｓ  Ｍｅｍｏｒｙ）とＲＯＭ（Ｒｅａｄ  Ｏｎｌｙ  Ｍｅｍｏｒｙ）との任意の組み合わせであってよい。メモリはまた、例えば、磁気メモリ、光メモリ、またはソリッドステートメモリ、または遠隔に取り付けられたメモリのいずれか１つ、またはそれらの組合せとすることができる永続的ストレージを備えることもできる。例示的なＮＦエンティティ１６００は、通信用に構成された通信インタフェース１６０１をさらに備える。
【０１５５】
インストラクションはメモリ１６０５からロードされ、少なくとも１つのプロセッサ１６０３によって実行されると、ＮＦエンティティ１６００に、前述の方法８００および９００を実行させることができる。
【０１５６】
特に、インストラクションはメモリ１６０５からロードされ、少なくとも１つのプロセッサ１６０３によって実行されると、ＮＦエンティティ１６００に、ＱｏＳフローに関連付けられたＱｏＳ規則を生成させてもよい。ＱｏＳ規則は同じＱｏＳフローに属する全てのＳＤＦに共通のパラメータと、ひとつ以上のパラメータ集合と、を含み、ひとつ以上のパラメータ集合のそれぞれはＱｏＳフローに属するＳＤＦに特有のパラメータを含む。
【０１５７】
インストラクションはメモリ１６０５からロードされ、少なくとも１つのプロセッサ１６０３によって実行されると、ＱｏＳ規則が既に送信されている場合、ＵＥがパラメータ集合を含めるようにＱｏＳ規則を更新することを可能にするために、ＮＦエンティティ１６００に、ＱｏＳ規則の識別子と一緒にパラメータ集合をＵＥに送信させ得る。例えば、新しいＰＣＣ規則が提供され、それが同じＱｏＳフローに結束される場合、新しいパラメータ集合が新しいＰＣＣ規則から生成され得る。ＱｏＳフローに共通のパラメータが変わらない場合、インストラクションはメモリ１６０５からロードされ、少なくとも１つのプロセッサ１６０３によって実行されると、ＮＦエンティティ１６００に、パラメータ集合のみを送信させてもよい。別の実施形態では、ＱｏＳフローに共通のＱｏＳ規則内のパラメータのいずれかが変化する場合、すなわち、任意のパラメータが以前のＱｏＳ規則内のそれから変化する場合、インストラクションは、メモリ１６０５からロードされ少なくともひとつのプロセッサ１６０３によって実行される場合、ＮＦエンティティ１６００に、変更されたパラメータを送信させてもよく、それにより、ＵＥが、ＱｏＳフローの共通パラメータを更新することが可能となる。
【０１５８】
ある実施の形態では、インストラクションは、メモリ１６０５からロードされ、少なくともひとつのプロセッサ１６０３によって実行されると、ＮＦエンティティ１６００に、パラメータと、パラメータが属する先のパラメータ集合の識別子と、をＱｏＳ規則の識別子と一緒にＵＥに送信させ、それによって、ＵＥが、パラメータ集合内のパラメータを更新することによってＱｏＳ規則を更新することを可能とする。例えば、ＰＣＣ規則が変更される場合、ＰＣＣから生成されたパラメータ集合内の１つまたは複数のパラメータが変更されてもよい。このような場合、変更されたパラメータ及びそのパラメータが属するパラメータ集合の識別子は、ＵＥがパラメータを更新することを可能にするために、ＵＥに送信される。
【０１５９】
ある実施の形態では、インストラクションはメモリ１６０５からロードされ、少なくとも１つのプロセッサ１６０３によって実行されると、ＮＦエンティティ１６００に、除去されるべきパラメータ集合がＱｏＳフローの最後の１つかどうかを決定させてもよい。それが最後の１つでない場合、インストラクションはメモリ１６０５からロードされ、少なくとも１つのプロセッサ１６０３によって実行されると、ＮＦエンティティ１６００に、共通パラメータを更新する必要があるかどうかを判定させてもよい。共通パラメータのうちのいずれかが変わる場合、インストラクションはメモリ１６０５からロードされ、少なくとも１つのプロセッサ１６０３によって実行されると、ＮＦエンティティ１６００に、変更されたパラメータと、パラメータ集合の識別子と、を送信させてもよい。共通パラメータを更新する必要がない場合、インストラクションはメモリ１６０５からロードされ、少なくとも１つのプロセッサ１６０３によって実行されると、ＮＦエンティティ１６００に、パラメータ集合の識別子のみを送信させてもよい。除去されるべきパラメータ集合がＱｏＳフローのうちの最後の１つである場合、インストラクションはメモリ１６０５からロードされ、少なくとも１つのプロセッサ１６０３によって実行されると、ＮＦエンティティ１６００に、ＱｏＳフローの識別子またはＱｏＳ規則の識別子を送信させてもよい。例えば、データフローが除去されるとき、共通パラメータおよびパラメータ集合を含む、データフローすなわちＱｏＳ規則に関連するパラメータが除去されなければならない。
【０１６０】
以下、図１７を参照してＵＥの構造を説明する。図１７は、本開示の例示的な実施形態による、ＵＥ１７００の概略構造図を例示的に示す。図１７のＵＥ１７００は、図１０を参照して前述したＱｏＳ規則を受信するための方法１０００を実行することができる。したがって、ＵＥ１７００に関するいくつかの詳細な説明は、前述したような、方法１０００の対応する説明を参照することができる。
【０１６１】
図１７に示すように、ＵＥ  １７００は、受信モジュール１７０１を含むことができる。当業者には理解されるように、ＵＥ１７００内の通常の構成要素は、本開示の概念を曖昧にしないために、図１７では省略されている。また、いくつかのモジュールは、より多くのモジュールに分散されてもよく、またはより少ないモジュールに統合されてもよい。
【０１６２】
ＵＥ１７００の受信モジュール１７０１は、ＱｏＳフローに関連付けられたＱｏＳ規則を受信するよう構成されてもよく、ＱｏＳ規則は同じＱｏＳフローに属する全てのデータフローに共通のパラメータと、ひとつ以上のパラメータ集合と、を含み、ひとつ以上のパラメータ集合のそれぞれはＱｏＳフローに属するデータフローに特有のパラメータを含む。
【０１６３】
ある実施の形態では、前記ひとつ以上のパラメータ集合のそれぞれは識別子によって互いに区別され、該識別子は前記ひとつ以上のパラメータ集合に含まれる。上記の例では、識別子はパラメータ集合識別子である。
【０１６４】
一実施形態では、ＵＥ１７００は更新モジュール１７０２を含むことができる。
【０１６５】
一実施形態では、ＵＥ１７００の受信モジュール１７０１は、ＱｏＳ規則の識別子と共にパラメータ集合を受信するように構成され得る。独立して受信されるパラメータ集合は、それがＱｏＳフローのための新しいパラメータ集合であることを意味する。ＱｏＳフロー／ＱｏＳ規則を特定するＱｏＳ規則の識別子によって、ＵＥ１７００の更新モジュール１７０２は、受信されたパラメータ集合を含むようにＱｏＳ規則を更新するように構成され得る。
【０１６６】
一実施形態では、ＵＥ１７００の受信モジュール１７０１は、ＱｏＳ規則の識別子と共にパラメータ集合の識別子を受信するように構成され得る。パラメータ集合の識別子が受信されると、パラメータ集合が削除されることが通知される。ＵＥ１７００の更新モジュール１７０２は、ＱｏＳ規則からパラメータ集合を削除することによって、ＱｏＳ規則を更新するように構成され得る。
【０１６７】
一実施形態では、ＵＥ１７００の受信モジュール１７０１は、ＱｏＳ規則の識別子と共に共通パラメータのうちのひとつ以上を受信するように構成され得、ＵＥ１７００の更新モジュール１７０２は受信されたパラメータを用いてＱｏＳ規則内の対応するパラメータを更新するように構成され得る。受信エンティティ（例えば、ＵＥ）が１つ以上の共通パラメータを受信すると、共通パラメータを更新するように通知される。したがって、ＵＥ１７００は、ＱｏＳ規則内のそれらを、受信されたもので更新する。
【０１６８】
一実施形態では、ＵＥ１７００の受信モジュール１７０１は、ＱｏＳ規則の識別子と共に、パラメータと、パラメータが属する先のパラメータ集合の識別子とを受信するように構成されてもよく、ＵＥ１７００の更新モジュール１７０２はパラメータ集合内のパラメータを更新することによって、ＱｏＳ規則を更新するように構成されてもよい。受信エンティティは、パラメータ集合内の１つまたは複数のパラメータを受信すると、パラメータ集合内のパラメータを更新するように通知される。したがって、受信エンティティは、パラメータ集合内のものを、受信されたもので更新する。
【０１６９】
以下、図１８を参照して、ＮＦエンティティの別の構造を説明する。図１８は、本開示の例示的な実施形態による、ＵＥ１８００の概略構造図を例示的に示す。図１８のＵＥ１８００は、図１０を参照して前述したＱｏＳ規則を受信するための方法１０００を実行することができる。したがって、ＵＥ１８００に関するいくつかの詳細な説明は、前述したような、方法１０００の対応する説明を参照することができる。
【０１７０】
図１８に示すように、ＵＥ１８００はコンピュータプログラムインストラクションを実行可能な、例えば、任意の適切な中央処理装置、ＣＰＵ、マイクロコントローラ、デジタル信号プロセッサ、ＤＳＰなどを含む、少なくとも１つのコントローラまたはプロセッサ１８０３を含むことができる。コンピュータプログラムインストラクションは、メモリ１８０５に格納することができる。メモリ１８０５は、ＲＡＭ（Ｒａｎｄｏｍ  Ａｃｃｅｓｓ  Ｍｅｍｏｒｙ）とＲＯＭ（Ｒｅａｄ  Ｏｎｌｙ  Ｍｅｍｏｒｙ）との任意の組み合わせであってよい。メモリはまた、例えば、磁気メモリ、光メモリ、またはソリッドステートメモリ、または遠隔に取り付けられたメモリのいずれか１つ、またはそれらの組合せとすることができる永続的ストレージを備えることもできる。例示的なＵＥ１８００は、通信用に構成された通信インタフェース１８０１をさらに備える。
【０１７１】
インストラクションはメモリ１８０５からロードされ、少なくとも１つのプロセッサ１８０３によって実行されると、ＵＥ１８００に、前述の方法１０００を実行させることができる。
【０１７２】
特に、インストラクションは、メモリ１８０５からロードされ、少なくともひとつのプロセッサ１８０３によって実行されると、ＵＥ１８００に、ＱｏＳフローに関連付けられたＱｏＳ規則を受信させてもよく、ＱｏＳ規則は同じＱｏＳフローに属する全てのデータフローに共通のパラメータと、ひとつ以上のパラメータ集合と、を含み、ひとつ以上のパラメータ集合のそれぞれはＱｏＳフローに属するデータフローに特有のパラメータを含む。
【０１７３】
本開示のある実施の形態では、インストラクションはメモリ１８０５からロードされ、少なくとも１つのプロセッサ１８０３によって実行されると、ＵＥ１８００に、ＱｏＳ規則の識別子と一緒にパラメータ集合を受信させてもよい。独立して受信されるパラメータ集合は、それがＱｏＳフローのための新しいパラメータ集合であることを意味する。ＱｏＳフロー／ＱｏＳ規則を特定するＱｏＳ規則の識別子によって、ＵＥ１８００は、受信されたパラメータ集合を含むようにＱｏＳ規則を更新してもよい。
【０１７４】
本開示のある実施の形態では、インストラクションはメモリ１８０５からロードされ、少なくとも１つのプロセッサ１８０３によって実行されると、ＵＥ１８００に、ＱｏＳ規則の識別子と一緒にパラメータ集合の識別子を受信させてもよい。パラメータ集合の識別子が受信されると、パラメータ集合が削除されることが通知される。インストラクションは、メモリ１８０５からロードされ、少なくとも１つのプロセッサ１８０３によって実行されると、ＵＥ１８００に、ＱｏＳ規則からパラメータ集合を削除することによって、ＱｏＳ規則を更新させることができる。
【０１７５】
本開示の一実施形態では、インストラクションは、メモリ１８０５からロードされ、少なくとも１つのプロセッサ１８０３によって実行されると、ＵＥ１８００に、ＱｏＳ規則の識別子と一緒に共通パラメータのうちのひとつ以上を受信させ、受信されたパラメータを用いてＱｏＳ規則内の対応するパラメータを更新させることができる。受信エンティティ（例えば、ＵＥ）が１つ以上の共通パラメータを受信すると、共通パラメータを更新するように通知される。したがって、受信エンティティは、ＱｏＳ規則内のそれらを、受信されたもので更新する。
【０１７６】
本発明のある実施の形態では、インストラクションは、メモリ１８０５からロードされ、少なくともひとつのプロセッサ１８０３によって実行されると、ＵＥ１８００に、パラメータと、パラメータが属する先のパラメータ集合の識別子と、をＱｏＳ規則の識別子と一緒に受信させ、パラメータ集合内のパラメータを更新することによってＱｏＳ規則を更新させる。受信エンティティは、パラメータ集合内の１つまたは複数のパラメータを受信すると、パラメータ集合内のパラメータを更新するように通知される。したがって、受信エンティティは、パラメータ集合内のものを、受信されたもので更新する。
【０１７７】
図１９を参照すると、一実施形態によれば、通信システムは、無線アクセスネットワークなどのアクセスネットワーク１９１１と、コアネットワーク１９１４と、を備える、３ＧＰＰタイプのセルラネットワークなどの電気通信ネットワーク１９１０を含む。アクセスネットワーク１９１１は、ＮＢ、ｅＮＢ、ｇＮＢ、または他のタイプの無線アクセスポイントなどの複数の基地局１９１２ａ、１９１２ｂ、１９１２ｃを備え、それぞれは対応するカバレッジエリア１９１３ａ、１９１３ｂ、１９１３ｃを定義する。各基地局１９１２ａ、１９１２ｂ、１９１２ｃは、有線または無線接続１９１５を介してコアネットワーク１９１４に接続可能である。カバレッジ領域１９１３ｃに位置する第１ユーザ装置（ＵＥ）１９９１は、対応する基地局１９１２ｃに無線接続するか、またはそれによってページングされるように構成される。カバレッジエリア１９１３ａ内の第２のＵＥ１９９２は、対応する基地局１９１２ａに無線で接続可能である。この例では複数のＵＥ１９９１、１９９２が示されているが、開示された実施形態は単一のＵＥがカバレッジエリア内にある状況、または単一のＵＥが対応する基地局１９１２に接続している状況にも等しく適用可能である。
【０１７８】
通信ネットワーク１９１０はそれ自体がホストコンピュータ１９３０に接続され、それはスタンドアロンサーバ、クラウド実装サーバ、分散サーバのハードウェアおよび／またはソフトウェア、またはサーバファーム内の処理資源として具体化され得る。ホストコンピュータ１９３０は、サービスプロバイダの所有権または制御下にあってもよく、またはサービスプロバイダによって、またはサービスプロバイダを代理して操作されてもよい。電気通信ネットワーク１９１０とホストコンピュータ１９３０との間の接続１９２１、１９２２は、コアネットワーク１９１４からホストコンピュータ１９３０に直接延在することができ、または任意選択の中間ネットワーク１９２０を介して進むことができる。中間ネットワーク１９２０は公衆ネットワーク、プライベートネットワーク、またはホストネットワークのうちの１つ、または２つ以上の組み合わせとすることができ、中間ネットワーク１９２０はもしあれば、バックボーンネットワークまたはインターネットとすることができ、特に、中間ネットワーク１９２０は、２つ以上のサブネットワーク（図示せず）を含むことができる。
【０１７９】
図１９の通信システム全体は、接続されたＵＥ１９９１、１９９２のうちの１つとホストコンピュータ１９３０との間の接続を可能にする。接続は、オーバザトップ（ＯＴＴ）接続１９５０として説明することができる。ホストコンピュータ１９３０および接続されたＵＥ１９９１、１９９２は、アクセスネットワーク１９１１、コアネットワーク１９１４、いずれかの中間ネットワーク１９２０、および可能なさらなるインフラストラクチャ（図示せず）を媒介として使用して、ＯＴＴ接続１９５０を介してデータおよび／またはシグナリングを通信するように構成される。ＯＴＴ接続１９５０は、ＯＴＴ接続１９５０が通過する参加通信デバイスがアップリンク通信およびダウンリンク通信のルーティングを知らないという意味で、トランスペアレントであり得る。例えば、基地局１９１２は、接続されたＵＥ１９９１に転送される（例えば、ハンドオーバされる）、ホストコンピュータ１９３０から発信されるデータを伴う着信ダウンリンク通信の過去のルーティングについて通知されなくてもよく、または通知される必要がなくてもよい。同様に、基地局１９１２は、ＵＥ１９９１からホストコンピュータ１９３０に向けて発せられる発信アップリンク通信の将来のルーティングを認識する必要はない。
【０１８０】
先の段落で論じたＵＥ、基地局、およびホストコンピュータの、一実施形態による、例示的な実装形態を、図２０を参照して次に説明する。通信システム２０００では、ホストコンピュータ２０１０は、通信システム２０００の異なる通信デバイスのインタフェースとの有線または無線接続をセットアップおよび維持するように構成された通信インタフェース２０１６を含むハードウェア２０１５を備える。ホストコンピュータ２０１０は、ストレージおよび／または処理能力を有することができる処理回路２０１８をさらに備える。特に、処理回路２０１８は、１つまたは複数のプログラマブルプロセッサ、特定用途向け集積回路、フィールドプログラマブルゲートアレイ、またはインストラクションを実行するように適合されたこれらの組合せ（図示せず）を備えることができる。ホストコンピュータ２０１０は、ホストコンピュータ２０１０に格納されるか、またはホストコンピュータ２０１０によってアクセス可能であり、処理回路２０１８によって実行可能なソフトウェア２０１１をさらに備える。ソフトウェア２０１１は、ホストアプリケーション２０１２を含む。ホストアプリケーション２０１２は、ＵＥ２０３０およびホストコンピュータ２０１０で終端するＯＴＴ接続２０５０を介して接続するＵＥ２０３０などのリモートユーザにサービスを提供するように動作可能であってもよい。リモートユーザにサービスを提供する際に、ホストアプリケーション２０１２は、ＯＴＴ接続２０５０を使用して送信されるユーザデータを提供することができる。
【０１８１】
通信システム２０００は、通信システム内に設けられ、ホストコンピュータ２０１０およびＵＥ２０３０と通信することを可能にするハードウェア２０２５を備える基地局２０２０をさらに含む。ハードウェア２０２５は、通信システム２０００の異なる通信デバイスのインタフェースとの有線または無線接続をセットアップおよび維持するための通信インタフェース２０２６と、基地局２０２０によって担当されるカバレッジエリア（図２０には示されていない）内に位置するＵＥ２０３０との少なくとも無線接続２０７０をセットアップおよび維持するための無線インタフェース２０２７とを含み得る。通信インタフェース２０２６は、ホストコンピュータ２０１０への接続２０６０を容易にするように構成することができる。接続２０６０は、直接的であってもよく、電気通信システムのコアネットワーク（図２０には示されていない）を通過してもよく、および／または電気通信システムの外部の１つ以上の中間ネットワークを通過してもよい。図示の実施形態では、基地局２０２０のハードウェア２０２５はさらに、インストラクションを実行するように構成された１つ以上のプログラマブルプロセッサ、特定用途向け集積回路、フィールドプログラマブルゲートアレイまたはこれらの組み合わせ（図示せず）を含んでもよい処理回路２０２８をさらに含む。基地局２０２０はさらに、内部に格納された、または外部接続を介してアクセス可能なソフトウェア２０２１を有する。
【０１８２】
通信システム２０００は、既に参照したＵＥ２０３０をさらに含む。そのハードウェア２０３５は、ＵＥ２０３０が現在位置するカバレッジエリアを担当する基地局との無線接続２０７０をセットアップし、維持するように構成された無線インタフェース２０３７を含み得る。ＵＥ２０３０のハードウェア２０３５はさらに、インストラクションを実行するように構成された１つ以上のプログラマブルプロセッサ、特定用途向け集積回路、フィールドプログラマブルゲートアレイまたはこれらの組み合わせ（図示せず）を含んでもよい処理回路２０３８をさらに含む。ＵＥ２０３０は、ＵＥ２０３０に格納されるか、またはＵＥ２０３０によってアクセス可能であり、処理回路２０３８によって実行可能なソフトウェア２０３１をさらに備える。ソフトウェア２０３１は、クライアントアプリケーション２０３２を含む。クライアントアプリケーション２０３２は、ホストコンピュータ２０１０の支援により、ＵＥ２０３０を介して人間または非人間のユーザにサービスを提供するように動作可能であってもよい。ホストコンピュータ２０１０では、実行中のホストアプリケーション２０１２は、ＵＥ２０３０およびホストコンピュータ２０１０で終端するＯＴＴ接続２０５０を介して実行中のクライアントアプリケーション２０３２と通信することができる。ユーザにサービスを提供する際に、クライアントアプリケーション２０３２はホストアプリケーション２０１２から要求データを受信し、要求データに応答してユーザデータを提供することができる。ＯＴＴ接続２０５０は、要求データとユーザデータの両方を転送することができる。クライアントアプリケーション２０３２は、ユーザと対話して、それが提供するユーザデータを生成することができる。
【０１８３】
図２０に示されるホストコンピュータ２０１０、基地局２０２０、およびＵＥ  ２０３０は、それぞれ、図１９の、ホストコンピュータ１９３０、基地局１９１２ａ、１９１２ｂ、１９１２ｃのうちの１つ、およびＵＥ１９９１、１９９２のうちの１つと同一であり得ることに留意されたい。すなわち、これらのエンティティの内部動作は図２０に示されるようなものであってもよく、独立して、周囲のネットワークトポロジは図１９のものであってもよい。
【０１８４】
図２０ではＯＴＴ接続２０５０を抽象的に描くことで、ホストコンピュータ２０１０とユーザ装置２０３０との間の基地局２０２０を介した通信を説明しており、これはいかなる中間デバイスも明示的に参照しておりおらず、これらのデバイスを介したメッセージの正確なルーティングも示していない。ネットワークインフラストラクチャはＵＥ２０３０から、またはホストコンピュータ２０１０を操作するサービスプロバイダから、またはその両方から隠すように構成され得るルーティングを決定し得る。ＯＴＴ接続２０５０がアクティブである間、ネットワークインフラストラクチャは（例えば、負荷分散の考慮またはネットワークの再構成に基づいて）ルーティングを動的に変更する決定をさらに行うことができる。
【０１８５】
ＵＥ２０３０と基地局２０２０との間の無線接続２０７０は、本開示全体にわたって説明される実施形態の教示に従う。様々な実施形態のうちの１つまたは複数は、無線接続２０７０が最後のセグメントを形成するＯＴＴ接続２０５０を使用して、ＵＥ  ２０３０に提供されるＯＴＴサービスの性能を改善する。より正確には、これらの実施形態の教示は、待ち時間を改善し、それによって、低減されたユーザ待ち時間およびより良好な応答性などの利点を提供することができる。
【０１８６】
１つまたは複数の実施形態が改善するデータレート、待ち時間、および他の要因を監視する目的で、測定手順を提供することができる。さらに、測定結果の変動に応答して、ホストコンピュータ２０１０とＵＥ２０３０との間のＯＴＴ接続２０５０を再構成するためのオプションのネットワーク機能があってもよい。測定手順および／またはＯＴＴ接続２０５０を再構成するためのネットワーク機能は、ホストコンピュータ２０１０のソフトウェア２０１１、またはＵＥ２０３０のソフトウェア２０３１、またはその両方において実装され得る。実施形態では、センサ（図示せず）は、ＯＴＴ接続２０５０が通過する通信デバイスに配備されるか、またはそれに関連して配備されてもよく、センサは上で例示された監視量の値を供給することによって、または他の物理量の値を供給することによって、測定手順に参加することができ、ソフトウェア２０１１、２０３１は他の物理量から監視量を計算または推定することができる。ＯＴＴ接続２０５０の再構成はメッセージフォーマット、再送信設定、好ましいルーティングなどを含むことができ、再構成は、基地局２０２０に影響を及ぼす必要はなく、基地局２０２０には知られていないか、または知覚できないことがある。このような手順および機能は当技術分野で公知であり、実装可能である。ある実施形態では、測定は、スループット、伝搬時間、待ち時間などのホストコンピュータ２０１０の測定を容易にする独自のＵＥシグナリングを含むことができる。測定は、ソフトウェア２０１１、２０３１が伝搬時間、エラーなどを監視しながら、ＯＴＴ接続２０５０を使用して、メッセージ、特に空または「ダミー」メッセージ、が送信されるようにすることによって実施することができる。
【０１８７】
図２１は、一実施形態による、通信システムにおいて実施される方法を示すフローチャートである。通信システムは、ホストコンピュータ、基地局、およびＵＥを含み、これらは図１９および図２０を参照して説明したものであってもよい。本開示を簡単にするために、図２１に対する図面参照のみがこのセクションに含まれる。本方法の第１のステップ２１１０において、ホストコンピュータはユーザデータを提供する。第１のステップ２１１０の任意選択のサブステップ２１１１において、ホストコンピュータは、ホストアプリケーションを実行することによってユーザデータを提供する。第２のステップ２１２０において、ホストコンピュータは、ＵＥに対するユーザデータを搬送する送信を開始する。任意選択の第３のステップ２１３０において、基地局は、本開示全体にわたって説明される実施形態の教示に従って、ホストコンピュータが開始した送信において搬送されたユーザデータをＵＥに送信する。任意選択の第４のステップ２１４０において、ＵＥは、ホストコンピュータによって実行されるホストアプリケーションに関連するクライアントアプリケーションを実行する。
【０１８８】
図２２は、一実施形態による、通信システムにおいて実施される方法を示すフローチャートである。通信システムは、ホストコンピュータ、基地局、およびＵＥを含み、これらは図１９および図２０を参照して説明したものであってもよい。本開示を簡単にするために、図２２に対する図面参照のみがこのセクションに含まれる。本方法の第１のステップ２２１０において、ホストコンピュータはユーザデータを提供する。任意選択のサブステップ（図示せず）では、ホストコンピュータがホストアプリケーションを実行することによってユーザデータを提供する。第２のステップ２２２０において、ホストコンピュータは、ＵＥに対するユーザデータを搬送する送信を開始する。送信は、本開示全体にわたって説明される実施形態の教示に従って、基地局を介して渡され得る。任意選択の第３のステップ２２３０において、ＵＥは、送信において搬送されたユーザデータを受信する。
【０１８９】
図２３は、一実施形態による、通信システムにおいて実施される方法を示すフローチャートである。通信システムは、ホストコンピュータ、基地局、およびＵＥを含み、これらは図１９および図２０を参照して説明したものであってもよい。本開示を簡単にするために、図２３に対する図面参照のみがこのセクションに含まれる。本方法の任意選択の第１のステップ２３１０において、ＵＥは、ホストコンピュータによって提供される入力データを受信する。追加的にまたは代替的に、オプションの第２のステップ２３２０において、ＵＥは、ユーザデータを提供する。第２のステップ２３２０の任意選択のサブステップ２３２１において、ＵＥは、クライアントアプリケーションを実行することによってユーザデータを提供する。第１のステップ２３１０のさらなる任意選択のサブステップ２３１１において、ＵＥは、ホストコンピュータによって提供された受信入力データに応答してユーザデータを提供するクライアントアプリケーションを実行する。ユーザデータを提供する際に、実行されるクライアントアプリケーションは、ユーザから受け取ったユーザ入力をさらに考慮することができる。ユーザデータが提供された特定の方法にかかわらず、ＵＥは、任意の第３のサブステップ２３３０において、ホストコンピュータへのユーザデータの送信を開始する。本方法の第４のステップ２３４０において、ホストコンピュータは、本開示全体にわたって説明される実施形態の教示に従って、ＵＥから送信されたユーザデータを受信する。
【０１９０】
図２４は、一実施形態による、通信システムにおいて実施される方法を示すフローチャートである。通信システムは、ホストコンピュータ、基地局、およびＵＥを含み、これらは図１９および図２０を参照して説明したものであってもよい。本開示を簡単にするために、図２４に対する図面参照のみがこのセクションに含まれる。方法の任意選択の第１のステップ２４１０では、本開示全体にわたって説明される実施形態の教示に従って、基地局はＵＥからユーザデータを受信する。任意選択の第２のステップ２４２０では、基地局は、受信したユーザデータのホストコンピュータへの送信を開始する。第３のステップ２４３０において、ホストコンピュータは、基地局によって開始された送信において搬送されたユーザデータを受信する。
【０１９１】
実施形態の前述の説明は例示および説明を提供するが、網羅的であること、または開示を開示された厳密な形態に限定することを意図していない。上記の教示に照らして、修正および変形が可能であり、または本開示の実施から獲得され得る。
【０１９２】
本開示の態様はまた、方法および／またはコンピュータプログラム製品として具現化されてもよい。したがって、本開示は、ハードウェアおよび／またはハードウェア／ソフトウェア（ファームウェア、常駐ソフトウェア、マイクロコードなどを含む）で実施され得る。さらに、実施形態はインストラクション実行システムによって使用されるために、またはインストラクション実行システムに関連して使用されるために、媒体内に具現化されたコンピュータ使用可能またはコンピュータ可読プログラムコードを有する、コンピュータ使用可能またはコンピュータ可読記憶媒体上のコンピュータプログラム製品の形態をとることができる。このようなインストラクション実行システムは、スタンドアロンまたは分散方式で実施することができる。本明細書で説明される実施形態を実施するために使用される実際のソフトウェアコードまたは専用制御ハードウェアは、本開示を限定するものではない。したがって、態様の動作および挙動は特定のソフトウェアコードを参照することなく説明されたが、当業者は本明細書の説明に基づいて態様を実装するためにソフトウェアおよび制御ハードウェアを設計することができることを理解されたい。
【０１９３】
さらに、本開示の特定の部分は、１つまたは複数の機能を実行する「論理」として実装され得る。このロジックは、特定用途向け集積回路またはフィールドプログラマブルゲートアレイなどのハードウェア、あるいはハードウェアとソフトウェアの組み合せを含むことができる。
【０１９４】
本明細書で使用される場合、用語「備える／備えている」は述べられた特徴、整数、ステップ、構成要素、またはグループの存在を指定すると解釈されるが、１つまたは複数の他の特徴、整数、ステップ、構成要素、またはそれらのグループの存在または追加を排除しないことを強調すべきである。
【０１９５】
本開示で使用される要素、動作、またはインストラクションは、明示的にそのように記載されない限り、本開示にとって重要または不可欠であると解釈されるべきではない。又、本明細書に使用されている冠詞「ａ」は、１つ又は複数の項目を包含するべく意図されている。１つの項目のみを意図する場合には、「１つの」という用語又は類似した文言が使用されている。さらに、「に基づく」という語句は特に明記しない限り、「に少なくとも部分的に基づく」ことを意味することを意図している。
【０１９６】
前述の説明は本開示の実施形態のみを示し、本開示をいかなる形でも限定することを意図しない。したがって、本開示の精神および原理内でなされる任意の修正、置換、改良などは、本開示の範囲に包含されるべきである。
【図１】
0006816291.tif 000002
【図２】
0006816291.tif 000003
【図３】
0006816291.tif 000004
【図４】
0006816291.tif 000005
【図５】
0006816291.tif 000006
【図６】
0006816291.tif 000007
【図７】
0006816291.tif 000008
【図８】
0006816291.tif 000009
【図９】
0006816291.tif 000010
【図１０】
0006816291.tif 000011
【図１１】
0006816291.tif 000012
【図１２】
0006816291.tif 000013
【図１３】
0006816291.tif 000014
【図１４】
0006816291.tif 000015
【図１５】
0006816291.tif 000016
【図１６】
0006816291.tif 000017
【図１７】
0006816291.tif 000018
【図１８】
0006816291.tif 000019
【図１９】
0006816291.tif 000020
【図２０】
0006816291.tif 000021
【図２１】
0006816291.tif 000022
【図２２】
0006816291.tif 000023
【図２３】
0006816291.tif 000024
【図２４】
0006816291.tif 000025